(57)【特許請求の範囲】
【請求項１】
方法であって、
プロセッサを備えるデバイスが、無線通信チャネルを介して、前記デバイスにマルチポイント送信プロトコルを使用してデータを送信するように構成された送信ポイントデバイスの間で前記無線通信チャネルの空間レイヤを区分けするレイヤ区分け情報を決定するステップであって、前記レイヤ区分け情報を前記決定するステップは、前記デバイスのランク容量に基づいて前記レイヤ区分け情報を決定するステップを備える、ステップと、
前記デバイスが、前記送信ポイントデバイスに前記レイヤ区分け情報を送信するステップと、
前記デバイスが、前記レイヤ区分け情報に基づいて決定された前記空間レイヤの第１のグルーピングを介して、前記送信ポイントデバイスの第１の送信ポイントデバイスから第１のデータ信号を受信するステップであって、該第１のデータ信号は前記デバイスに向けられたデータに基づいて生成される第１のコードワード情報を備える、ステップと、
前記デバイスが、前記レイヤ区分け情報に基づいて決定された前記空間レイヤの第２のグルーピングを介して、第２の送信ポイントデバイスから第２のデータ信号を受信するステップと、を備える方法。
【請求項２】
前記第１のデータ信号及び前記第２のデータ信号は、異なるコードワードを含む、請求項１に記載の方法。
【請求項３】
前記第１のデータ信号及び前記第２のデータ信号は、前記送信ポイントデバイスによる別個であり非協調であるスケジューラの使用に基づく異なるコードワードを備える、請求項１に記載の方法。
【請求項４】
前記デバイスは第１のデバイスを備え、
前記方法は、前記デバイスが、第２のデバイスにより前記デバイスに送信されたメッセージを得るために前記第１のデータ信号及び前記第２のデータ信号を合成するステップをさらに備える請求項１に記載の方法。
【請求項５】
前記空間レイヤの前記第１のグルーピング及び前記空間レイヤの前記第２のグルーピングは、前記第１の送信ポイントデバイスと前記第２の送信ポイントデバイスとの間の協調なしに決定されていた、請求項１に記載の方法。
【請求項６】
前記第１の送信ポイントデバイス及び前記第２の送信ポイントデバイスは、地理的に閾距離だけ離れている、請求項１に記載の方法。
【請求項７】
前記第１のデータ信号及び前記第２のデータ信号は、異なる物理リソースブロックに割り当てられる、請求項１に記載の方法。
【請求項８】
前記異なる物理リソースブロックは前記第１の送信ポイントデバイス及び前記第２の送信ポイントデバイスによって独立に割り当てられた、請求項７に記載の方法。
【請求項９】
前記第１のデータ信号及び前記第２のデータ信号の合計ランクは、前記空間レイヤの前記第１のグルーピング及び前記空間レイヤの前記第２のグルーピングを決定するために、前記第１の送信ポイントデバイスと前記第２の送信ポイントデバイスによる前記レイヤ区分けの適用に基づいて前記デバイスの最大ランク容量を超えない、請求項７に記載の方法。
【請求項１０】
前記レイヤ区分け情報を決定するステップは、前記送信ポイントデバイスの合成されたランクが前記デバイスの前記ランク容量を超えるという決定に対応する、請求項１に記載の方法。
【請求項１１】
デバイスのプロセッサによって実行されると、
それぞれの送信ポイント間で前記デバイスのランク容量を区分けするランク割当てを、それぞれ、前記デバイスと前記それぞれの送信ポイントデバイスとの間の通信リンクに関連するチャネル状態情報に基づいて特定するステップと、
異なる空間レイヤを前記ランク割当てに応じて前記それぞれの送信ポイントに割り当てる異なる重複しない空間レイヤ割当てを特定するステップと、
前記ランク割当てを識別するランク割当て情報を前記それぞれの送信ポイントデバイスに送信するステップと、
前記異なる重複しない空間レイヤ割当てを識別する空間レイヤ割当て情報を前記それぞれの送信ポイントデバイスに送信するステップと、
前記それぞれの送信ポイントからデータ信号を受信するステップであって、前記データ信号は前記デバイスに向けられた同じデータを表す情報をそれぞれ備え、前記データ信号は前記異なる重複しない空間レイヤ割当てをそれぞれ有する、ステップと
を備える動作の実行を促進する実行可能な命令を備える機械可読記憶媒体。
【請求項１２】
前記データ信号は、それぞれの送信ポイントデバイス間の協調なしに決定される、異なるコードワード及び異なる物理リソースブロック構成を備える、請求項１１に記載の機械可読記憶媒体。
【請求項１３】
前記異なる重複しない空間レイヤ割当ては、前記送信ポイントデバイス間の協調なしに独立に決定された、請求項１１に記載の機械可読記憶媒体。
【請求項１４】
デバイスであって、
プロセッサと、
メモリであって、前記プロセッサによって実行されると、
無線通信チャネルを介して、前記デバイスにマルチポイント送信プロトコルを使用してデータを送信するように構成された送信ポイントデバイスの間で前記無線通信チャネルの空間レイヤを区分けするレイヤ区分け情報を決定するステップであって、前記レイヤ区分け情報を前記決定するステップは、前記デバイスのランク容量に基づいて前記レイヤ区分け情報を決定するステップを備える、ステップと、
前記送信ポイントデバイスが前記レイヤ区分け情報にアクセスすることを可能にするステップと、
前記送信ポイントデバイスの第１の送信ポイントデバイスから、前記レイヤ区分け情報に基づいて決定された前記空間レイヤの第１のグループを介して、第１のデータ信号を受信するステップと、
前記送信ポイントデバイスの第２の送信ポイントデバイスから、前記レイヤ区分け情報に基づいて決定された前記空間レイヤの第２のグループを介して、第２のデータ信号を受信するステップと、
を備える動作の実行を促進する実行可能な命令を記憶するメモリと、
を備えるデバイス。
【請求項１５】
前記第１のデータ信号及び前記第２のデータ信号は、異なるコートワードを含む、請求項１４に記載のデバイス。
【請求項１６】
前記空間レイヤの前記第１のグループ及び前記空間レイヤの前記第２のグループは、前記第１の送信ポイントデバイスと前記第２の送信ポイントデバイスとの間の協調なしに独立に決定された、請求項１４に記載のデバイス。
【請求項１７】
前記第１のデータ信号と前記第２のデータ信号は、前記デバイスに向けられたメッセージの異なる部分を備え、前記命令はさらに、
前記メッセージを得るために、前記第１のデータ信号及び前記第２のデータ信号を復号するステップを備える、請求項１４に記載のデバイス。
【請求項１８】
前記第１の送信ポイントデバイス及び前記第２の送信ポイントデバイスは、少なくとも所定の距離だけ地理的に離れている、請求項１４に記載のデバイス。
【請求項１９】
前記第１のデータ信号及び前記第２のデータ信号は、異なる物理リソースブロックに割り当てられる、請求項１４に記載のデバイス。
【請求項２０】
前記異なる物理リソースブロックは前記第１の送信ポイントデバイスと前記第２の送信ポイントデバイスによって独立に割り当てられた、請求項１９に記載のデバイス。
【請求項２１】
前記レイヤ区分け情報を決定するステップは、前記送信ポイントデバイスの合成されたランクが前記デバイスの前記ランク容量を超えるという決定に対応する、請求項１４に記載のデバイス。
【発明の詳細な説明】
【技術分野】
【０００１】
関連出願の相互参照
本願は、２０１６年１１月４日出願の米国特許出願第１５／３４３５４３号、発明の名称「ＡＳＹＮＣＨＲＯＮＯＵＳ  ＭＵＬＴＩ−ＰＯＩＮＴ  ＴＲＡＮＳＭＩＳＳＩＯＮ  ＳＣＨＥＭＥＳ」の優先権を主張し、その全体がここに参照として取り込まれる。
【０００２】
本開示は、概略として非同期マルチポイント送信方式に関し、より具体的には、第５世代（５Ｇ）多入力多出力（ＭＩＭＯ）ネットワークのための非同期マルチポイント送信方式に関する。
【背景技術】
【０００３】
マルチポイント送信は、地理的に分散した送信ポイント（ＴＰ）（例えば、基地局、ｅＮｏｄｅＢ、リモート無線ユニット（ＲＲＵ）など）からデータがユーザ装置（ＵＥ）に送信されるコンセプトである。マルチポイント送信方式は、リリース１１からロングタームエボリューション（ＬＴＥ）ネットワークに対する第３世代（３Ｇ）規格の一部であった。それらは、特にセルの縁部において、より高いスループット及び容量を実現する際の強力なコンセプトであることが分かってきた。しかし、初期バージョンのマルチポイント送信方式、特に３Ｇリリース１１に記載されるものは、複数送信ポイントとクラウドベース又は中央化無線アクセスネットワーク（Ｃ−ＲＡＮ）アーキテクチャとの間の速い協調に対して非常に低いレイテンシのトランスポートサポートを必要とする。Ｃ−ＲＡＮアーキテクチャがあれば、多数のセルに対するベースバンド処理が中央化され、ＴＰ間の送信を協調するのに中央化スケジューラが採用される。これらのタイプのマルチポイント送信方式は、「協調」マルチポイント（ＣｏＭＰ）送信方式といわれる。
【０００４】
５Ｇ無線システムは、モバイル電気通信標準以降の次の大きな段階を表す。５Ｇ計画は、より速いピークのインターネット接続速度ではなく、３Ｇ及び第４世代（４Ｇ）ＬＴＥシステムよりも高い容量を目指し、単位面積当たりに、より多くのモバイルブロードバンドユーザを可能とし、より高い又は無制限のデータ量の消費を可能とする。これにより、人口の大部分に対して、Ｗｉ−Ｆｉホットスポットの到達範囲外の場合に、彼らのモバイルデバイスを用いて高精細メディアを一日当たり長時間ストリーミングすることが実行可能となる。
【０００５】
マルチポイント送信は、無線ネットワークの公平性及び信頼性を向上する基本的な技術となっている。高周波での動作がセルの縁部に非常に難しい前提を保証させるので、マルチポイント送信は５Ｇネットワーク及びそれ以降のような将来の無線ネットワークにおいて特に重要となる。しかし、ＣｏＭＰ送信方式の低いレイテンシのトランスポート及びＣ−ＲＡＮアーキテクチャ要件は、アドバンストＬＴＥシステム、５Ｇシステム及びそれ以降などの高度な無線通信システムでは実現するのが累進的に一層難しくなっている。これは、高度な無線ネットワークは、非常に低いレイテンシ及び高い帯域幅を必要とするためである。例えば、５Ｇネットワークにおいて、ＴＰスケジューラが協調される必要がある時間スケールは、非常に低いレイテンシを実現するのに使用される一層小さな送信時間間隔（ＴＴＩ）（例えば、ＬＴＥに対する１．０ミリ秒（ｍｓｅｃ）と比較して５Ｇに対して約１２５マイクロ秒（μｓｅｃ）から約２５０μｓｅｃ）に起因して、ＬＴＥにおける時間スケールよりも大幅に小さくなり得る。そのようなタイトなスケジューリングの協調用時間スケールでは、あるシナリオの下では５Ｇに対するＣ−ＲＡＮアーキテクチャを実現することが難しくなる。したがって、現在のＣｏＭＰ送信方式に関連するＴＰ間でのタイトなスケジューリング協調を必要としないマルチポイント送信方式は、高度な無線ネットワークに必要となる。
【図面の簡単な説明】
【０００６】
【図１】図１は、本開示の種々の態様及び実施形態による非同期マルチポイント送信を促進する例示の無線通信システムの説明図である。
【図２】図２は、本開示の種々の態様及び実施形態による例示のＬＴＥ  ＣｏＭＰ送信方式の原理を示す説明図を与える。
【図３】図３は、本開示の種々の態様及び実施形態による例示の非同期マルチポイント送信方式の原理を示す説明図を与える。
【図４】図４は、本開示の種々の態様及び実施形態による非同期マルチポイント送信方式を用いて動作するように構成された例示のＵＥの上位ブロック図を示す。
【図５】図５は、本開示の種々の態様及び実施形態による、２以上のＴＰ間のＵＥ特定によるランク及びレイヤの区分けに基づいて２以上のＴＰの送信による非同期マルチポイント送信を促進する例示の処理のフロー図を示す。
【図６】図６は、本開示の種々の態様及び実施形態による、２以上のＴＰ間のＵＥ特定によるＰＲＢ区分けに基づいて２以上のＴＰ送信による非同期マルチポイント送信を促進する例示の処理のフロー図を示す。
【図７】図７は、本開示の種々の態様及び実施形態による非同期マルチポイント送信を促進するように構成された例示のネットワークＴＰデバイスの上位ブロック図を示す。
【図８】図８は、本開示の種々の態様及び実施形態による非同期マルチポイント送信を促進する例示の方法を示す。
【図９】図９は、本開示の種々の態様及び実施形態による非同期マルチポイント送信を促進する他の例示の方法を示す。
【図１０】図１０は、本開示の種々の態様及び実施形態による非同期マルチポイント送信を促進する例示の方法を示す。
【図１１】図１１は、開示事項が相互作用できるコンピューティング環境の例示の模式ブロック図を示す。
【図１２】図１２は、実施形態による開示のシステム及び方法を実行するように動作可能なコンピューティングシステムの例示のブロック図を示す。
【発明を実施するための形態】
【０００７】
本開示は、５Ｇ  ＭＩＭＯネットワークのための非同期マルチポイント送信を促進するコンピュータ処理システム、コンピュータによって実施される方法、装置及び／又はコンピュータプログラム製品に向けられる。本非同期マルチポイント送信方式によると、ネットワークデバイス（例えば、ネットワークＴＰ、ネットワークスケジューラデバイスなど）にＴＰ間の協調タスクを行わせるのではなく、協調はＵＥによって完全に実行され、又はＵＥとＴＰの間に分散され得る。これにより、複数の（例えば、２以上の）ＴＰがほとんど協調なしに又は全く協調なしに稼働することが可能となる。さらに、中央化スケジューリングエンティティは必要ではない。これに対して、独立したスケジューラがネットワークにおける各ＴＰに配備可能となり、ＵＥとそれぞれ通信するＴＰがＵＥとの無線周波数（ＲＦ）シグナリング手順を自立的に実行することができる。結果として、本マルチポイント送信方式は、非常に低いレイテンシトランスポートもＣ−ＲＡＮアーキテクチャも必要としない。
【０００８】
１以上の実施形態において、緩いＴＰ協調でマルチポイント送信を実現するために、ＵＥと通信するそれぞれのＴＰは、別個のコードワードをＵＥに送信するように構成され得る。旧来的なＣｏＭＰ送信とは異なり、この場合、別個のコードワードは、ＵＥに対して意図された異なる情報を含み得る。特に、各ＴＰは複数のレイヤ及び複数のコードワードをＵＥに送信するように構成され、ＵＥはそれぞれのＴＰから受信された異なる空間レイヤ及びコードワードを傍受するように構成され得る。各ＴＰによって送信されたコードワード及び空間レイヤは協調される必要はない（すなわち、同じである）ので、各ＴＰは独立のスケジューラを用いることができる。さらに、別個のスケジューラが使用され得るので、全てのＴＰからの空間レイヤ及びコードワードの物理リソースブロック（ＰＲＢ）割当て（すなわち、リソース割当て）が同じである必要はない。結果として、各ＴＰから割り当てられたリソースブロック及び空間レイヤも独立したものとなり得る。また、ＵＥは複数のＴＰから空間レイヤを独立して受信するので、ＴＰ間で厳密な準共存（ＱＣＬ）基準を維持する必要はない。
【０００９】
例えば、種々の実施形態では、ＵＥは、（例えば、ＵＥによって測定及び／又は特定されるチャネル状態情報（ＣＳＩ）に基づいて）ＴＰ間で空間レイヤ及びＰＲＢを区分けすることができる。ある実施例では、空間レイヤを区分けすることに関連して、ＵＥは、同じレイヤを用いるＴＰがあることを回避するように、各ＴＰに対してレイヤマッピングが異なることを確実にすることができる。１以上の実施形態では、ＵＥはまた、区分けされたＰＲＢに基づいてＴＰ間で送信ランクを区分けするようにも構成され得る。ＴＰ間で送信ランクを区分けすることに関連して、ＵＥは、全てのＴＰにわたる送信の合計ランクがＵＥの最大ランク容量を超えないことを確実にするようにランクを区分けするようにも構成され得る。ＵＥは、これらの容量の全て又は一部の組合せを用いて、マルチポイント送信協調をその端部に実行し、各ＴＰに対する送信パラメータ及び仮説をネットワークＴＰに示すことができる。例えば、ＵＥは、区分けされた空間レイヤ、ＰＲＢ及び送信ランクに関するフィードバックをそれぞれのＴＰに提供するように構成され得る。そして、ＴＰは、コードワード送波をＵＥに送信する場合にフィードバックを採用することができる。種々の追加の実施形態では、全てのＴＰにわたる送信の合計ランクが、ＵＥが扱うことができる最大ランクを超えないこと、及び２つのＴＰで同じレイヤを使用することを回避するように各ＴＰとはレイヤマッピングが異なることを確実にするように、ＴＰ又はそれらのスケジュールは幾らか「遅い」協調を行うように構成され得る。
【００１０】
本非同期マルチポイント送信方式によって、ＬＴＥ  ＣｏＭＰ送信に必要なインフラベースの協調の必要がなくなる。ＬＴＥ  ＣｏＭＰ送信とは異なり、本マルチポイント送信方式は、速い協調のためのＴＰ間の非常に低いレイテンシのトランスポートを必要としない。本マルチポイント送信方式は、（ＬＴＥ  ＣｏＭＰ送信のために義務的であるが実現するのが難しいことがある）Ｃ−ＲＡＮのようなアーキテクチャによって提供されるような中央化スケジューリングを必要とすることもない。提案の非同期マルチポイント送信方式が独立のスケジューラ及び最小の協調で作用する能力によって、それらは５Ｇ  ＭＩＭＯ技術に対して極めて価値のあるものとなり、５Ｇネットワークの配備が大幅に容易となる。
【００１１】
１以上の実施形態において、プロセッサを備えるデバイスによって、無線通信ネットワークの第１のＴＰデバイスから第１のデータ信号を受信するステップを含む方法が提供され、第１のデータ信号は他のデバイスからそのデバイスに向けられたデータに基づいて生成される第１のコードワード情報を備える。方法はさらに、デバイスによって、無線通信ネットワークの第２のＴＰデバイスから第２のデータ信号を受信するステップをさらに含み、第２のデータ信号はデータに基づいて生成される第２のコードワードを備え、第１のコードワード情報及び第２のコードワード情報が異なり、第１のＴＰデバイス及び第２のＴＰデバイスは地理的に閾距離だけ離れている。デバイスはさらに、データを表す統一データ信号を生成するように第１のデータ信号及び第２のデータ信号を処理することができる。種々の実施例において、第１のコードワード情報及び第２のコードワード情報は、それぞれ、第１のＴＰデバイス及び第２のＴＰデバイスによる別個かつ非同期の送信信号スケジューラの使用に基づいて異なる。
【００１２】
ある実施例では、第１のデータ信号及び第２のデータ信号は、それぞれ、第１のＴＰデバイス及び第２のＴＰデバイスによる別個かつ非同期の送信信号スケジューラの使用に基づいて非同期の時間にデバイスによって受信される。さらに、ある実施例では、第１のデータ信号及び第２のデータ信号は、それぞれ、第１のコードワード情報及び第２のコードワード情報に対する異なる重複しないＰＲＢ（ＰＲＢ）割当てを備え得る。例えば、第１のデータ信号及び第２のデータ信号は、それぞれ、第１のＴＰデバイス及び第２のＴＰデバイスによる別個かつ非同期の送信信号スケジューラの使用に基づいて異なる重複しないＰＲＢ割当てを備え得る。ある態様では、別個かつ非同期のスケジューラの使用によって異なる重複しないＰＨＢ割当てがもたらされても、第１のデータ信号及び第２のデータ信号の合計ランクはデバイスの最大ランク容量を超えない。一実施例では、これは、第１のＴＰデバイスと第２のＴＰデバイスの間で実行されるＰＲＢ区分け協調手順の結果に基づく。他の実施例では、これは、デバイスによるＰＲＢ区分けの特定並びにそれぞれの第１及び第２のＴＰへのＰＲＢ区分けを識別する情報のプロビジョニングに基づく。
【００１３】
また、種々の追加の実施例では、第１のデータ信号及び第２のデータ信号は、それぞれ、第１のコードワード情報及び第２のコードワード情報に対して異なる重複しない空間レイヤ割当てを備える。例えば、第１のデータ信号及び第２のデータ信号は、それぞれ、第１のＴＰデバイス及び第２のＴＰデバイスによる別個かつ非同期の送信信号スケジューラの使用に基づいて異なる重複しない空間レイヤ割当てを備え得る。ある態様では、別個かつ非同期のスケジューラの使用によって異なる空間レイヤ割当てがもたらされても、異なる空間レイヤ割当ては重複せず、第１のデータ信号及び第２のデータ信号の合計ランクはデバイスの最大ランク容量を超えない。一実施例では、これは、第１のＴＰデバイスと第２のＴＰデバイスの間で実行される空間レイヤ及びランク区分け協調手順の結果に基づく。他の実施例では、これは、デバイスによる異なる空間レイヤ割当て及びランク割当ての特定並びにそれぞれの第１及び第２のＴＰへの異なる空間レイヤ割当て及びランク割当てを識別する情報のプロビジョニングに基づく。
【００１４】
用語「地理的に離れた」は、ここでは、２以上の送信機を含むデバイスなどの同じデバイス上に２つのＴＰが配置されず、２以上の送信機はそれぞれのＴＰとして作用することを示すのに使用される。例えば、地理的に離れたＴＰは、マクロセル、マイクロセル、ピコセル及びフェムトセルなどを含む様々なネットワークセルに配置又は関連付けられた送信デバイス及び／又は送信機を含む。この意味において、閾距離は変化し得る。１以上の実施例では、閾距離は、約１０メートル以上である。他の実施例では、閾距離は、約１０００メートル以上である。他の実施例では、閾距離は、約１マイル以上である。
【００１５】
他の実施形態では、プロセッサと、プロセッサによって実行されると、動作の実行を促進する実行可能な命令を備えるメモリとを備える、無線通信ネットワークの第１のＴＰデバイスが提供される。これらの動作は、デバイスに向けられたデータの第１の部分を備えるデータトランスポートブロックを受信するステップと、データの第１の部分を表す第１のコードワード情報を備える第１の信号データを生成するようにデータを処理するステップとを備え得る。動作は、無線通信ネットワークの第２のＴＰデバイスによって、デバイスへの第２の信号データの送信に関連付けて第１の信号データをデバイスに送信するステップをさらに備える。これらの動作に応じて、第２の信号データは、データの第２の部分を表す第２のコードワード情報を備える。さらに、第１のＴＰデバイス及び第２のＴＰデバイスは地理的に閾距離だけ離れている。１以上の実施例において、第１の信号データを送信するステップは、それぞれ、第１のＴＰデバイス及び第２のＴＰデバイスによる別個かつ非同期の送信信号スケジューラの使用に基づいて第２の信号データの送信に対して時間において同期されていない。ある実施例では、第１のコードワード情報及び第２のコードワード情報は、それぞれ、第１のＴＰデバイス及び第２のＴＰデバイスによる別個かつ非同期の送信信号スケジューラの使用に基づいて異なる。
【００１６】
さらに他の実施形態では、実行可能な命令を備える機械可読記憶媒体は、デバイスのプロセッサによって実行されると、動作の実行を促進する。それらの動作は、それぞれのＴＰデバイス間でデバイスの最大ランク容量を区分けするランク割当てを、それぞれ、デバイスとそれぞれのＴＰデバイスとの間の通信リンクに関連するチャネル状態情報に基づいて特定するステップを含み得る。動作は、異なる空間レイヤをランク割当てに応じてそれぞれのＴＰに割り当てる異なる重複しない空間レイヤ割当てを特定するステップも含む。動作は、ランク割当てを識別するランク割当て情報をそれぞれのＴＰデバイスに送信するステップと、異なる重複しない空間レイヤ割当てを識別する空間レイヤ割当て情報をそれぞれのＴＰに送信するステップとを含む。さらに、動作は、それぞれのＴＰからデータ信号を受信するステップを含み、データ信号はデバイスに送信された同じデータを表す情報をそれぞれ備え、データ信号は異なる重複しない空間レイヤ割当てをそれぞれ有する。
【００１７】
ここで、図面を参照して本開示を説明する。全体を通じて、同様の符号は同様の要素を示すのに使用される。以下の説明及び添付図面は、主題の特定の説明的態様を詳細に説明する。ただし、これらの態様は、主題の原理が採用可能な種々の態様の幾つかではあるがその表示である。開示事項の他の態様、効果及び新規な構成は、提供される図面との関連で考慮されると、以下の詳細な説明から明らかとなる。以下の説明では、説明の目的のため、本開示の完全な理解を与えるために多数の具体的詳細が説明される。しかし、本開示はこれらの具体的詳細なしに実施され得ることは明らかなものとなる。他の事例では、周知の構造及びデバイスは、本開示の説明を容易化するためにブロック図形式で示される。
【００１８】
図１は、本開示の種々の態様及び実施形態による非同期マルチポイント送信を促進する例示の無線通信システム１００の説明図である。本開示で説明するシステム、装置又は処理の態様は、機械内で具現化され、例えば、１以上の機械に関連付けられる１以上のコンピュータ可読媒体（又は単一の媒体）で具現化される機械実行可能なコンポーネントを構成することができる。そのようなコンポーネントは、１以上の機械、例えば、コンピュータ、コンピューティングデバイス、仮想機械などによって実行されると、説明する動作をその機械に実行させることができる。
【００１９】
システム１００は、１以上のＵＥ１０２、２以上のネットワークＴＰデバイス１０４（すなわち、ＴＰ）及びコア無線通信ネットワーク１０６を備え得る。説明的目的のために単一のＵＥ１０２が図示されること及び任意数のＵＥがシステム１００に含まれ得ることが理解されるべきである。同様に、本非同期マルチポイント送信方式の種々の態様は、ＴＰとしての２つのネットワークＴＰデバイス１０４に関して例示される。ただし、本システム１００及び非同期マルチポイント送信方式は３以上のＴＰ（例えば、多くの実施例では３個のＴＰ、４個のＴＰなど）を関与させるマルチポイント送信に関連して採用され得ることが理解されるべきである。さらに、図示する実施形態では、ネットワークＴＰデバイス１０４は、地理的に（閾距離に対して）離れている。例えば、ネットワークＴＰデバイス１０４は、異なるセルにそれぞれ配置され、それをサービングすることができる。ただし、本技術の非同期マルチポイント送信技術は、共配置又はＱＣＬ（すなわち、閾距離に対して地理的に離れていない）ネットワークＴＰデバイス１０４又はＴＰにも適用可能である。
【００２０】
ＵＥ１０２は、本非同期マルチポイント送信方式プロトコルの１以上の態様を用いて動作するように構成され得る様々な異なる移動及び静止デバイスのタイプを含み得る。例えば、ＵＥ１０２は、これらに限定されることなく、携帯電話、スマートフォン、タブレットコンピュータ、ウェアラブルデバイス、バーチャルリアリティ（ＶＲ）デバイス、ヘッドアップディスプレイ（ＨＵＤ）デバイスなどを含み得る。ＵＥ１０２はまた、マシンタイプ通信（ＭＴＣ）又はマシントゥマシン（Ｍ２Ｍ）能力（カテゴリ−Ｍ１、カテゴリ−Ｍ２、カテゴリ−０、カテゴリ−１、狭帯域（ＮＢ）−ＩｏＴなど）で構成されてもよい。例えば、ＵＥ１０２は、計量デバイス、移植可能医療デバイス（ＩＭＤ）、ホームオートメーションシステムに関連するセンサ及び／若しくは制御デバイス、追跡デバイス、ポイントオブセールデバイス（例えば、自動販売機）、セキュリティデバイス（例えば、監視システム、ホームセキュリティ、アクセス制御などに関連する）、何らかのモノのインターネット（ＩｏＴ）デバイス（例えば、トースター、コーヒーメーカ、ブラインド、音楽プレイヤ、スピーカなど）並びに／又は何らかの接続された輸送手段（自動車、航空機、宇宙ロケット、及び／又は少なくとも部分的に自動化された他の輸送手段（例えば、ドローン））などであってもよいし、それを含んでいてもよい。
【００２１】
本非同期マルチポイント送信方式によると、ＵＥ１０２は、ネットワーク送信ポイントとして動作する２以上のネットワークＴＰデバイス１０４に通信可能に接続可能である。非限定的用語であるネットワークＴＰデバイスは、ここでは、ＵＥ１０２をサービングする及び／又は他のネットワークノードに接続された任意のタイプのネットワークノード（又は無線ネットワークノード）、ネットワーク要素、又はＵＥ１０２が無線信号を受信できる他のネットワークノードをいうものとして使用される。例えば、ネットワークＴＰデバイス１０４は、ＮｏｄｅＢ、ｅＮｏｄｅＢ、ＮｏｄｅＢ／ｅＮｏｄｅＢの無線機又は送信機／受信機、アクセスポイント（ＡＰ）デバイスなどを備え、又はそれに接続され得る。ネットワークノードの他の要素（例えば、ネットワークＴＰデバイス１０４）は、これに限定されることなく、マルチ標準無線（ＭＳＲ）ＢＳ、ｅＮｏｄｅＢ、ネットワークコントローラ、無線ネットワークコントローラ（ＲＮＣ）、基地局コントローラ（ＢＳＣ）、中継器、ドナーノード制御中継器、基地送受信局（ＢＴＳ）、送信ポイント、送信ノード、ＲＲＵ、ＲＲＨ、分散アンテナシステム（ＤＡＳ）におけるノードなどを含むマルチ標準無線（ＭＳＲ）無線ノードデバイスを、これに限定されることなく含み得る。図示する実施形態では、ＵＥ１０２は、ＵＥ１０２とそれぞれのネットワークＴＰデバイス１０４との間に確立される無線リンクを介して無線通信を送信及び／又は受信することができる。ＵＥ１０２からネットワークＴＰデバイス１０４への細い実線矢印はアップリンク通信を表し、ネットワークＴＰデバイス１０４からＵＥ１０２への細い破線矢印はダウンリンク通信を表す。
【００２２】
種々の実施形態において、システム１００は、ネットワークＴＰデバイス１０４及び／又は種々の追加のネットワークデバイス（不図示）を介して、ＵＥ１０２を含む種々のＵＥに無線通信サービスを提供することを促進する１以上の通信サービスプロバイダネットワークであってもよいし、それを含んでいてもよい。アクセスネットワークレイヤ（例えば、ネットワークＴＰデバイス１０４）に加えて、通信サービスプロバイダネットワークは、無線通信システム１００を介して無線通信サービスを提供することに関連する種々の中央処理の役割及びサービスを促進する種々のネットワークデバイス１０８を含むコア無線通信ネットワークを含み得る。例えば、コア無線通信ネットワーク１０６は、ネットワークＴＰデバイス１０４及び／又は種々の追加ネットワークデバイス（不図示）を介してＵＥ１０２に無線通信サービスを提供することを促進する種々のネットワークデバイス１０８を含み得る。例えば、コア無線通信ネットワーク１０６の１以上のネットワークデバイス１０８は、これに限定されることなく、モバイル交換センタ（ＭＳＣ）デバイス、ホームロケーションレジスタ（ＨＬＲ）デバイス、ビジタロケーションレジスタ（ＶＬＲ）デバイス、認証センタ（ＡＵＣ）デバイス、プロビジョニングサーバ、課金サーバ、オペレーション及びサポートシステム（ＯＳＳ）デバイス、ショートメッセージサービスセンタ（ＳＭＳＣ）デバイス、及び多数の他の要素を含み得る。
【００２３】
本マルチポイント送信方式によると、ネットワークデバイス１０８の１以上は、データ割当てプラットフォーム１１０であってもよいし、それを含んでいてもよい。データ割当てプラットフォーム１１０は、他のデバイス（例えば、他のＵＥ、他のシステムデバイス、ネットワークデバイス、仮想デバイスなど）からＵＥ１０２に送信されたデータトラフィックを２以上のＴＰ（例えば、それぞれのネットワークＴＰデバイス１０４）に割り当てるように構成され得る。無線ネットワーク及び特にセルラネットワークでは、ＵＥ１０２に向けられたユーザデータ及びシグナリングメッセージは、ＵＥ１０２にオーバージエア（ＯＴＡ）で送信されるようにネットワークＴＰデバイス１０４を含む物理（ＰＨＹ）レイヤに渡される前に、コア無線通信ネットワーク１０６（例えば、コア無線通信ネットワーク１０６の１以上のネットワークデバイス１０８）に関連する種々のネットワークレイヤ／デバイスによって処理される。例えば、ＬＴＥネットワークでは、ＰＨＹレイヤに先行するネットワークレイヤは、これに限定されることなく、パケット・データ・コンバージェンス・プロトコル（ＰＤＣＰ）レイヤ、無線リンク制御（ＲＬＣ）レイヤ及びメディアアクセス制御（ＭＡＣ）レイヤなど）を含む。これらのレイヤは、ユーザデータに対して、ＵＥへの送信のためのＰＨＹレイヤにそれを送信する前に種々のタイプの処理を実行する。これらのコアネットワークレイヤ／デバイスからＰＨＹレイヤデバイス（すなわち、ネットワークＴＰデバイス１０４）に送信されるユーザデータは、１以上のデータパケット、データストリーム、データの１以上のセグメント、データの１以上のチャンクなどとして受信され得る（それは採用されるデータトランスポートプロトコル、データトランスポートプロトコルに関連する専門用語及びデータのタイプに応じて変わる）。本マルチポイント送信方式によると、データ割当てプラットフォーム１１０は、データをＰＨＹレイヤにおけるＵＥに送信するようにマルチポイント送信に関連付けて選択された２以上のＴＰに、ＵＥに向けられたデータを割り当てるように構成される。データ割当てプラットフォームによって割り当てられるようにデータがネットワークデバイス１０８からそれぞれのＴＰ（例えば、ネットワークＴＰデバイス１０４）に送信される場合に、データは１以上のデータトランスポートブロックとして送信される。そして、ネットワークＴＰデバイス１０４は、ネットワークＴＰデバイス１０４に関連付けられてＵＥに送信された１以上のスケジューラ又はスケジューラコンポーネントによってスケジューリングされる。
【００２４】
ある実施形態では、ネットワークＴＰデバイス１０４は、システム１００のそれぞれのＴＰ（すなわち、ネットワークノード）に対してマルチポイント送信スケジューリング機能を実行する中央化スケジューラデバイス又はコンポーネント（不図示）を用いることができる。このタイプの構成は、Ｃ−ＲＡＮインフラを採用するシステムに使用される。他の実施形態では、ネットワークＴＰデバイス１０４の一部が共通のスケジューラを共有し得る一方で、他のものがそれ自体の専用のスケジューラを有していてもよい。ただし、種々の例示の実施形態において、ネットワークＴＰデバイス１０４の各々が、個々のスケジューラコンポーネント又は専用のスケジューラデバイス（不図示）を含んでいてもよいし、それに関連付けられてもよい。これらの実施形態によると、ネットワークＴＰデバイス１０４の各々に関連付けられたスケジューラコンポーネント／デバイスは、ネットワークＴＰデバイス１０４に通信可能に接続されていてもよく、ある実施形態では、ネットワークＴＰデバイス１０４と物理的に共配置されていてもよい。他の実施例では、ネットワークＴＰデバイス１０４の各々に関連付けられたスケジューリングコンポーネント／デバイスは、コア無線通信ネットワーク１０６又はネットワークＴＰデバイス１０４の外部の他のデバイスに含まれたネットワークデバイス１０８であってもよい（又はそれと含まれてもよい）。
【００２５】
システム１００は、これに限定されることなく、セルラネットワーク、フェムトネットワーク、ピコセルネットワーク、マイクロセルネットワーク、インターネットプロトコル（ＩＰ）ネットワーク、Ｗｉ−Ｆｉサービスネットワーク、ブロードバンドサービスネットワーク、企業ネットワーク、クラウドベースのネットワークなどを含む種々のタイプの異なるネットワークを含み得る。例えば、少なくとも１つの実施例において、システム１００は、種々の地理的領域に跨る大規模セルラネットワークを含む。この実施例によると、システム１００は、ネットワークＴＰとして作用する複数の異なる地理的配置ネットワークＴＰデバイス１０４を含み得る。ネットワークＴＰデバイス１０４は、１以上のバックホールリンク（太い矢印で図示）を介してコア無線通信ネットワーク１０６に接続され得る。例えば、その１以上のバックホールリンクは、これに限定されることなく、Ｔ１／Ｅ１電話線、デジタル加入者線（ＤＳＬ）（例えば、同期又は非同期いずれかの）、非対称ＤＳＬ（ＡＤＳＬ）、光ファイババックボーン、同軸ケーブルなどのような有線リンクコンポーネントを含み得る。１以上のバックホールリンク１０８は、これに限定されることなく、地上エアインターフェース又は深宇宙リンク（例えば、ナビゲーションのための衛星通信リンク）を含み得るラインオブサイト（ＬＯＳ）又は非ＬＯＳリンクのような無線リンクコンポーネントも含み得る。
【００２６】
無線通信システム１００は、マルチポイント送信をサポートしてデバイス間（例えば、ＵＥ１０２とネットワークＴＰデバイス１０４の間、ネットワークノードとネットワークデバイス１０８の１以上との間、ＵＥと他のＵＥの間など）の無線通信を促進する種々のセルラ又は無線通信技術を採用することができる。例えば、本非同期マルチポイント送信方式の種々の態様及び実施形態は５Ｇの背景でここに説明されるが、開示される態様は５Ｇに限られない。例えば、開示される非同期マルチポイント送信方式の態様又は構成は、マルチポイント送信又はＭＩＭＯ技術をサポートする実質的にあらゆる無線通信技術において利用可能である。そのような無線通信技術は、これに限定されることなく、ユニバーサルモバイル電気通信システム（ＵＭＴＳ）、ＬＴＥシステム、２Ｇシステム、３Ｇシステム、４Ｇシステム、符号分割多重アクセス（ＣＤＭＡ）、Ｗｉ−Ｆｉ、ワイマックス（ＷｉＭａｘ）、汎用パケット無線サービス（ＧＰＲＳ）、エンハンストＧＰＲＳ、ウルトラモバイルブロードバンド（ＵＭＢ）、高速パケットアクセス（ＨＳＰＡ）、エボルブド高速パケットアクセス（ＨＳＰＡ＋）、高速ダウンリンクパケットアクセス（ＨＳＤＰＡ）、高速アップリンクパケットアクセス（ＨＳＵＰＡ）、Ｚｉｇｂｅｅ又は他のＩＥＥＥ８０２．ＸＸ技術を含み得る。さらに、ここに開示される実質的に全ての態様は、レガシー電気通信技術において利用可能である。
【００２７】
１以上の実施形態では、システム１００は、システム１００のＴＰ（例えば、ネットワークＴＰデバイス１０４）とＵＥ（ＵＥ１０２）の間の非同期マルチポイント送信を促進するように適合される。マルチポイント送信は、特に、さもなければダウンリンクの場合に複数の送信ポイントからの大きな干渉を受けることになるＵＥに対して性能を改善するように地理的に離れたＴＰ（例えば、ネットワークＴＰデバイス１０４）からＵＥ（例えば、ＵＥ１０２）にデータが送信されるコンセプトである。ＣｏＭＰ送信のような旧来的なＬＴＥマルチポイント送信方式では、それぞれのＴＰ（例えば、ネットワークＴＰデバイス１０４）によってＵＥ（例えば、ＵＥ１０２）に送信される送波は、送信信号コンテンツ、送信パラメータ及びタイミングに関してタイトに協調されなければならない。
【００２８】
例えば、図２は、本開示の種々の態様及び実施形態による旧来的なＬＴＥ  ＣｏＭＰ送信方式２００の原理を示す説明図を提示する。例えば、ＬＴＥ  ＣｏＭＰ送信方式２００は、ＬＴＥリリース１１に規定されるような古典的なジョイント送信（ＪＴ）方式を表すことができる。
【００２９】
図２に示すように、２つのネットワークノードＴＰ１及びＴＰ２はそれぞれデータ信号をＵＥ１０２に送信している。ＬＴＥにおいて使用されるような旧来的なマルチポイント送信方式は、全てのＴＰが同じデータコンテンツを送信することを要する。例えば、図示する実施形態では、ＴＰ１及びＴＰ２は、コードワード１−Ｎをそれぞれ送信している。用語「コードワード」とは、それが送信のためにフォーマットされる前のユーザデータをいう。チャネルの状態及びユースケースに応じてＴＴＩ当たり１又は２個のコードワードが使用され得る。単一ユーザＭＩＭＯ（ＳＵ−ＭＩＭＯ）の最も一般的な場合では、２個のコードワードが、ＴＴＩ当たり単一のハンドセットＵＥに送信される。
【００３０】
同じコードワードを送信することに加えて、旧来的なＬＴＥマルチ送信方式であれば、それぞれのＴＰは、これに限定されることなく、レイヤマッピング、変調及び符号化方式（ＭＣＳ）レベル、コードワードの各々に対する占有ＰＲＢなどを含む同じ送信フォーマットパラメータを用いてデータ信号を送信しなければならない。例えば、従来的な非ＣｏＭＰマルチアンテナ（ＭＩＭＯ）動作及びＣｏＭＰ動作では、それぞれのＴＰが、ＵＥへのリンクの品質に基づいて送信パラメータを適合させる。この現代の無線通信において一般に採用されるようないわゆる「リンク適合」では、ＵＥ１０２は、仮説的なデータ送信のためにチャネル状態情報（ＣＳＩ）を推定する必要がある。ＣｏＭＰに関連するジョイント送信をサポートするために、ＵＥは、送信ポイント（例えば、ＴＰ１及びＴＰ２）に対応する集約されたセットのアンテナからのジョイント送信を仮定してＣＳＩ情報をフィードバックしなければならない。そのようなＣＳＩは、基本的にはＵＥに送信される空間ストリームの数である送信ランクに関する情報、基本的には空間ストリームにマッピングされ得るコードワードの各々においてサポートされ得る変調及び符号化方式（ＭＣＳ）であるチャネル品質インデックス情報、及び集約されたセットのアンテナのチャネル品質情報（ＣＱＩ又は合計ＣＱＩ）などにおいて使用されるプリコーディング重み付けであるプリコーディング行列インデックス（ＰＭＩ）を含み得る。
【００３１】
そして、それぞれのＴＰは、データ信号をＵＥに送信する際の使用率についての共通送信パラメータを（例えば、共用スケジューラ２０１を用いて）協調する。特に、ＵＥ１０２から受信されたフィードバックに基づいて、スケジューラ２０１は、レイヤマッピングのための理想パラメータ、ＭＣＳレベル、コードワードの各々についての占有ＰＲＢなどを決定することができる。例えば、図示する実施形態では、コードワードの共通ＰＲＢ割当てがそれぞれのＴＰ間で共有され、ＴＰによってそれぞれ送信される信号に適用される。
【００３２】
さらに、ＬＴＥ  ＣｏＭＰでは、異なるＴＰによって送信されたそれぞれの信号のＵＥによる受信のタイミングも協調されなければならない。例えば、異なるＴＰからＵＥによって受信されるそれぞれの信号のコードワード、空間レイヤ、ＰＲＢ割当てなどが同じ場合、ＵＥ信号は相互のエコーとしてＵＥによって中断されることになる。ＵＥは、マルチパスシグナリング技術による統一信号として両信号を中断するように構成される。ＵＥがマルチパス処理に応じて両信号を中断するためには、両信号が最小時間遅延内で受信される必要がある。したがって、旧来的なＬＴＥ  ＣｏＭＰ技術では、それぞれのＴＰは、時間ドメインにおけるそれらの送波を、ここで準共配置（ＱＣＬ）というものとして見えるようにＵＥに対して協調しなければならない。用語ＱＣＬは、それぞれのＴＰによって送信される信号が単一の同期インスタンスで（例えば、単一の高速フーリエ変換（ＦＦＴ）内で）受信されるように充分な時間−周波数コヒーレンスでＵＥにおいて受信されることを示す。したがって、ＴＰは実際に共配置されていなくても、それらはＵＥにおける受信機にはそのように見える。
【００３３】
図１及び２を参照すると、コンテンツ、フォーマット及び時間に関してＴＰ間で協調されたシグナリングを実現するためには、旧来的なＬＴＥ  ＣｏＭＰ方式は、ネットワークがＣ−ＲＡＮ又はＣ−ＲＡＮのようなアーキテクチャを採用してスケジューリング動作を中央化し、ＴＰ間の極低レイテンシのトランスポートを実施することを要する。例えば、図２に示すように、ＴＰは、両ＴＰの協調を実行する中央化スケジューラ２０１を共有する。あるいは、「理想的な」バックホールが実現される限り、複数のスケジューラがそれぞれのＴＰに使用可能となる。この背景では、「理想的な」バックホールとは、スケジューラ間でゼロのレイテンシ及び無限の帯域幅を有することをいうので、スケジューラ間の任意の種類の協調が即座に実現可能となる。５Ｇの場合では、タイトなＴＰ協調に必要なこれらの制約は、縮小するレイテンシのバジェット及び５Ｇネットワークで対象とされる増加するトランスポート帯域幅に起因して、充足するのが一層難しくなる。例えば、５Ｇネットワークでは、非常に低いレイテンシを実現するために、ＴＰスケジューラが協調される必要があるＴＴＩは、２５０μｓｅｃ未満であり、約１２５μｓｅｃにさえなり得る。この時間スケール間隔は、旧来的なＬＴＥに必要となる約１．０ｍｓｅｃよりも大幅に短い。協調のためのそのようなタイトなスケジューリング時間スケールでは、旧来的なＬＴＥマルチポイント送信技術の厳格な協調要件が、高度な無線通信ネットワーク（例えば、５Ｇネットワーク）に対して望まれる非常に低いレイテンシ及び高い帯域幅を与えつつＣｏＭＰ送信を実現することを非常に難しくし、ほぼ不可能なものとする。
【００３４】
開示されるマルチポイント送信技術は、ここでは非同期マルチポイント送信という技術を用いてＣｏＭＰ送信方式のタイトな協調スケジューリング要件と考えられる制限を緩和する。本マルチポイント送信技術は、ＣｏＭＰ送信のような旧来的なＬＴＥマルチポイント送信方式とは異なり、システム１００のＴＰ（すなわち、ネットワークＴＰデバイス１０４）は、コンテンツ、フォーマット及びタイミングに関して２以上のＴＰ（例えば、それぞれのネットワークＴＰデバイス１０４）によって単一のＵＥ（例えば、ＵＥ１０２）に送信されるデータ送波をタイトに協調する必要はない。これに対して、本非同期マルチポイント送信方式では、地理的に離れた異なるＴＰ（例えば、それぞれのネットワークＴＰデバイス１０４）からＵＥ（例えば、ＵＥ１０２）に送信されたコードワード及び／又は（例えば、レイヤマッピング、ＭＣＳレベル、コードワードの各々に対する占有ＰＲＢなどのような）送信パラメータの１以上が異なり得る。さらに、ＵＥはそれぞれのＴＰからコードワード及び空間レイヤを独立して受信するため、複数のＴＰ間で厳密なＱＣＬタイミング基準を維持する必要はない。したがって、ＴＰ又はＴＰのためのスケジューラは、送信信号コンテンツ、フォーマット及びタイミングに関する協調／同期化をほとんど又は全く実行しなくてもよい。また、中央化されたスケジューラ又はスケジューリングシステムも必要ではない。
【００３５】
例えば、図３に、本開示の種々の態様及び実施形態による例示の非同期マルチポイント送信方式３００の原理を示す説明図を与える。
【００３６】
図３に示すように、２つのネットワークノードＴＰ１及びＴＰ２はそれぞれ、データ信号をＵＥ１０２に送信している。ただし、旧来的なＬＴＥ  ＣｏＭＰ送信方式（例えば、方式２００）とは異なり、データストリームは異なるコードワードを含む。例えば、ＴＰ２はコードワード１−Ｍを送信しており、ＴＰ２はコードワードＭ＋１〜Ｎを送信している。用語コードワードは、無線通信技術において、ＰＨＹレイヤ符号化ビットのことをいうのに用いられる。本非同期マルチポイント送信方式によると、コードワードが異なるとの言及は、次のうちの１つを意味し得る：１．コードワードは同じデータを含み若しくは表すが、異なる符号化方式を有する、２．コードワードは同じデータの異なるサブセット若しくは部分を含み若しくは表し、同じ符号化方式を有する、又は３．コードワードは同じデータの異なるサブセット若しくは部分を含み若しくは表すが、異なる符号化方式を有する。
【００３７】
例えば、図１及び３を参照すると、１以上のネットワークデバイス１０８を介して処理され、データ割当てプラットフォーム１１０によって割り当てられるようなそれぞれのＴＰに送信されるデータは、１以上のデータトランスポートブロックとしてそれぞれのＴＰに送信され、そこで受信される。データトランスポートブロックがネットワークＴＰデバイス１０４によって受信されると、データトランスポートブロックはデータ信号においてＵＥに送信する前にコードワードに処理される。トランスポートブロックの長さに応じて、多数のステップが、この処理に関与する。例えば、ある実施例では、ネットワークＴＰデバイス（又はネットワークＴＰデバイスのスケジューラ）は、まず２４ビットのチェックサム（ＣＲＣ）をトランスポートブロックに追加することができる。このＣＲＣは、送信が成功したか否かを判定するのに使用され、ハイブリッドＡＲＱをトリガしてＡＣＫ又はＮＡＣＫを適宜送信する。そして、トランスポートブロックは、コードブロックにセグメント化される。コードブロックは、４０〜６１４４ビット長の間でなければならない。トランスポートブロックが小さ過ぎる場合には、それは４０ビットまでパディングされ、トランスポートブロックが大き過ぎる場合には、より小さな片に分割され、その各々が追加の２４ビットのＣＲＣを得る。次に、各コードブロックは１／３ターボ符号器で処理され、結果として得られるコードブロックは単一のコードワードに再アセンブリされる。そして、コードワードは、基本的にはエラー保護を有するトランスポートブロックとなる。種々の送信プロトコルにおいて、ＵＥは、単一のＴＴＩにおいて１個又は２個のトランスポートブロック（及びそれゆえ１個又は２個のコードワード）を受信するように構成され得る。
【００３８】
旧来的なＣｏＭＰ送信方式では、ネットワークノード（例えば、データ割当てプラットフォーム１１０）は、ＵＥに向けられたデータを受信し、マルチポイント送信に参加するそれぞれのＴＰに同じデータの複製を送信する。例えば、ネットワークノードは、データトランスポートブロックをＴＰの各々に送信し（又はネットワークデバイスに送信させ）、データトランスポートブロックの各々は同じデータを含む。そして、それぞれのＴＰは、（図２に示すように）同じコードワードを備えるデータ信号にデータトランスポートブロックを処理し、コードワードの各々は同じデータを表す。それぞれのＴＰはまた、同じコードワードへのそれぞれのトランスポートブロックの処理を協調する（それぞれのコードワードは同じ符号化方式を有する）。この場合、ＵＥは、異なる送信点からの異なるデータの複製を含むそれぞれのＴＰからデータ信号を受信する。このタイプの送信方式は、ＵＥとそれぞれのＴＰの１以上との間の通信リンクに信頼性がない場合にＵＥがデータの少なくとも１つの複製を受信する信頼性を増加させるのに使用される。
【００３９】
本非同期マルチポイント送信方式によると、それぞれのＴＰは、同じデータ又は異なるデータをＵＥに送信することができる。特に、ある実施形態では、ＵＥに向けられたデータがデータ割当てプラットフォーム１１０によって受信及び処理されると、データ割当てプラットフォームはデータの同じ複製を含む又は表すデータトランスポートブロックをそれぞれのＴＰに送信することができる。そして、ＴＰは、データトランスポートブロックを、同じデータを表すコードワードをそれぞれ備えるデータ信号に処理することができる。他の実施形態では、データ割当てプラットフォーム１１０は、ＵＥに向けられたデータをデータの２以上の異なる部分又はサブセットに分割することができる。データ割当てプラットフォーム１１０はまた、データのサブセットの異なる部分をそれぞれ表すデータトランスポートブロックをＴＰの各々に送信する（又はネットワークデバイス１０８に送信させる）ことができる。そして、ＴＰの各々は、それらのデータのそれぞれの部分又はサブセットを異なるコードワードを備えるデータ信号に処理することができ、コードワードはデータの異なる部分又はサブセットをそれぞれ表す。受信機側において、ＵＥは、それぞれの部分を組み合わせて全体としてデータを表すデータストリーム、構造体などを生成することができる。ＵＥに向けられたデータを異なる部分又はサブセットに分断すること及び異なるＴＰに異なる部分又はサブセットをＵＥに送信させることによって、全体的なシグナリングスループットが増加する。
【００４０】
ＵＥに向けられたデータトラフィックの異なる部分又はサブセットをそれぞれのＴＰがＵＥに送信できることに加えて、それぞれのＴＰがデータトランスポートブロックをコードワードに処理する態様は同期される必要はない。結果として、それぞれのＴＰは、異なる符号化方式でコードワードを生成することができる。したがって、ある実施例では、それぞれのＴＰによって送信されるコードワードは、異なる符号化方式を有するが、他のデバイスによってＵＥに送信される同じデータ（例えば、同じ単数のデータパケット又は複数のデータパケット、データストリーム、データブロック、データセグメントなど）を表すことができる。他の実施例では、それぞれのＴＰによって送信されるコードワードは、他のデバイスによってＵＥに送信された同じデータの異なるサブセット又は部分を表することができ、同じ符号化方式を有する。さらに他の実施例では、それぞれのＴＰによって送信されるコードワードは、他のデバイスによってＵＥに送信に送信される同じデータの異なるサブセット又は部分を表すことができ、異なる符号化方式を有する。最後に、ある実施例では、それぞれのＴＰによって送信されるコードワードは、同じデータを表すことができ、同じ符号化方式を有する（旧来的なＣｏＭＰと同様）。しかし、これらの実施例によると、それぞれのＴＰによって送信されるデータ信号は、時間及び周波数（例えば、後述のように、ＰＲＢ割当て及び空間レイヤ割当て）においてやはり非同期となり得る。
【００４１】
異なるコードワードを送信することに加えて、旧来的なＬＴＥ  ＣｏＭＰ送信方式（例えば、方式２００）とは異なり、本非同期マルチポイント送信方式（例えば、方式３００）では、それぞれのＴＰが異なる送信フォーマットパラメータ（例えば、各コードワードに対するレイヤマッピング、ＭＣＳレベル、占有ＰＲＢなど）を用いてデータ信号を送信することができる。例えば、図示する実施形態では、ＴＰ１及びＴＰ２は、独立のスケジューラであるスケジューラ３０１及び３０２をそれぞれ有する。スケジューラの各々は、ＵＥ１０２によってそれに提供されるＣＳＩフィードバックを独立して解析し、コードワード対してＰＲＢ割当てを自律的に決定することができる。例えば、スケジューラ３０１からのコードワードのＰＲＢ割当ては、スケジューラ３０２からのコードワードのＰＲＢ割当てとは異なる。
【００４２】
図１及び３を参照すると、図３に例示するように、本非同期マルチポイント送信方式（例えば、方式３００）であれば、別個のコードワードが、各ＴＰ（例えば、ＴＰ１及びＴＰ２）から送信され得る。旧来的なマルチポイント送信とは異なり、本非同期マルチポイント送信方式では、それらＴＰは、同じ情報を送信する必要はない。その代わりに、各ＴＰは、複数のレイヤ及び複数のコードワードをＵＥに送信することができる。結果として、それぞれのＴＰは、独立のスケジューラ（例えば、スケジューラ３０１及び３０２）を採用することができる。別個のスケジューラが使用されるので、全てのＴＰからのレイヤ及びコードワードのＰＲＢ割当てが同じである必要はない。これは、各ＴＰから割り当てられたリソースブロックが独立している非同期マルチポイント送信の核心である。さらに、それらＴＰは、それらの間の「理想的でない」バックホールで独立のスケジューラを用いてデータ送信をスケジューリングすることができる。この背景において、「理想的でない」バックホールとは、スケジューラ間で非ゼロのレイテンシ及び有限の帯域幅を有することにより、スケジューラ間の実質的に長期間の協調を容易化することをいう。
【００４３】
また、ＵＥは空間レイヤをＴＰから独立して受信するので、複数のＴＰ間で厳密な時間−周波数同期（例えば、ＱＣＬの出現）を維持する必要はない。特に、物理ダウンリンク共有チャネル（ＰＤＳＣＨ）の複数及び別個のレイヤは、ＵＥにおける定期の単一ユーザ（ＳＵ）−ＭＩＭＯとして扱われ得る異なるＴＰ（例えば、異なるネットワークＴＰデバイス１０４）から送信される。ある実施形態では、ＵＥは、可能なレイヤ間干渉に対処する高度な受信機処理技術を選択的に用いることができる。ＣｏＭＰ方式に関連するＱＣＬ要件を緩和することに関連して、本非同期マルチポイント送信方式であれば、ＵＥによってそれぞれのＴＰに提供されるＣＳＩ情報の量及びタイプは変わり得る。例えば、ある実施例では、本非同期マルチポイント送信方式の緩和されたＱＣＬ要件を実現するために、ＱＣＬ関連仮定情報のサブセットのみ（例えば、ビームフォーミング重み付け、遅延スプレッド、ドップラースプレッド、ドップラーシフト、平均ゲイン及び平均遅延）がＵＥ１０２によってＴＰ（又はそれらのスケジューラ）に提供され得る。本非同期マルチポイント送信方式を実現するのに必要なＱＣＬ仮定情報のタイプ及び量は、注意深く評価されるべきであり、ＵＥ受信能力に依存し得る。
【００４４】
種々の実施例によると、異なるＴＰ（例えば、ネットワークＴＰデバイス１０４）が複数のレイヤをＵＥ１０２に独立して送信するので、本非同期マルチポイント送信方式は、合計送信ランクがＵＥのその最大ランクハンドリング能力を超える場合を説明することができる。例えば、ＵＥが４層のレイヤの最大ランクハンドリング能力を有し、各ＴＰが送信しているコードワードについて３層のレイヤをスケジューリングする場合には、ＵＥでの合計ランクは６であり、ＵＥが受信できるものを超える。このシナリオでは、ＵＥは、データを復号することができず、送信は無駄となる。したがって、それぞれのＴＰは別個のスケジューラを採用することができたとしても、それぞれのＴＰ間のランク及びレイヤ区分けに関してある程度の協調が本非同期マルチポイント送信方式によって提供され得る。
【００４５】
ある実施形態では、ランク及びレイヤ区分けを実現するために、ＴＰ（例えば、ネットワークＴＰデバイス１０４）又はそれらのスケジューラ（不図示）は、全てのＴＰにわたる送信の合計ランクがＵＥの扱うことのできる最大ランクを超えず、２以上のＴＰで同じレイヤを用いることを回避するようにレイヤマッピングが各ＴＰとは異なることを確実にするように、いくらか「遅い」ＴＰ協調（例えば、比較的低いトランスポートレイテンシの減速手段）を実行するように構成可能である。他の実施形態では、ＵＥは、ＴＰ間で空間レイヤ、ＰＲＢ及び送信ランクを区分けすること／割り当てることを担うことができる。例えば、ＵＥ１０２は、空間レイヤ、ＰＲＢ及び送信ランクをどのように区分けするかを（例えば、ＣＳＩ、ＵＥ能力情報などに基づいて）決定するように構成され得る。ＵＥは、区分けされた空間レイヤ、ＰＲＢ及び送信ランクに関するフィードバックをそれぞれのＴＰにさらに提供することができる。そして、ＴＰは、コードワード送信をフォーマットしてＵＥに送信する場合にフィードバックを採用することができる。これらのランク及びレイヤ区分け協調の構成は、図４〜７を相互参照してより詳細に説明される。
【００４６】
本非同期マルチポイント送信技術によって、ＬＴＥ  ＣｏＭＰ送信に必要なインフラベースの協調の必要がなくなる。ＬＴＥ  ＣｏＭＰ送信とは異なり、非同期の本マルチポイント送信方式は、速い協調のためのＴＰ間の非常に低いレイテンシのトランスポートを必要としない。本マルチポイント送信方式は、（ＬＴＥ  ＣｏＭＰ送信のために義務的であるが実現するのが難しいことがある）Ｃ−ＲＡＮのようなアーキテクチャによって提供されるような中央化スケジューリングを必要とすることもない。マルチポイント送信は、無線通信ネットワークの公平性及び信頼性を向上する基本的な技術となっている。高周波での動作がセルの縁部に非常に難しい前提を保証させるので、マルチポイント送信は５Ｇネットワーク及びそれ以降のような将来の無線ネットワークにおいて特に重要となる。提案の非同期マルチポイント送信方式が独立のスケジューラ及び最小の協調で作用する能力によって、それらは５Ｇ  ＭＩＭＯ技術に対して極めて価値のあるものとなる。
【００４７】
図４に、本開示の種々の態様及び実施形態による非同期マルチポイント送信方式を用いて動作するように構成された例示のＵＥ（例えば、ＵＥ１０２）の上位ブロック図を示す。それぞれの実施形態で採用される同様の要素の反復する説明は、簡明化のために省略される。
【００４８】
種々の実施形態において、ＵＥ１０２は、通信コンポーネント４０２、ＣＳＩコンポーネント４０８、ランク区分けコンポーネント４１２、レイヤ区分けコンポーネント４１２及びＰＲＢ区分けコンポーネント４１６を含み得る。ＵＥ１０２は、コンピュータ実行可能なコンポーネント及び命令を記憶するように構成されたメモリ４２０を含み得る。例えば、これらのコンピュータ実行可能なコンポーネント及び命令は、メモリ４２０の外部に図示されているが、通信コンポーネント４０２、ＣＳＩコンポーネント４０８、ランク区分けコンポーネント４１２、レイヤ区分けコンポーネント４１４及びＰＲＢ区分けコンポーネント４１６に関連する通信コンポーネント及び／又はソフトウェア命令を含み得る。ＵＥ１０２はまた、ＵＥ１０２による命令（例えば、コンピュータ実行可能なコンポーネント及び命令）の動作を促進するプロセッサ４１８を含み得る。当該プロセッサ４１８及びメモリ４０２の例は、ＵＥ１０２によって採用され得る他の適切なコンピュータ又はコンピューティングベースの要素と同様に、図１２を参照して分かる。ＵＥは、これに限られることなく、通信コンポーネント４０２、ＣＳＩコンポーネント４０８、ランク区分けコンポーネント４１２、レイヤ区分けコンポーネント４１４、ＰＲＢ区分けコンポーネント４１６、プロセッサ４１８及びメモリ４２０を含むＵＥ１０２の種々のコンポーネントを接続するデバイスバス４１０をさらに含み得る。
【００４９】
通信コンポーネント４０２は、ＵＥ１０２とネットワークＴＰデバイス１０４との間、ＵＥ１０２と他のＵＥの間、ＵＥと１以上のネットワークデバイス１０８との間などのようなＵＥ１０２と他のデバイスとの間の無線通信を促進することができる。通信コンポーネント４０２は、ここに記載される種々のタイプの無線通信の１以上を促進するハードウェア（例えば、中央処理装置（ＣＰＵ）、１以上の送信機、１以上の受信機、１以上の送受信機、１以上の復号器）、ソフトウェア（例えば、一組のスレッド、一組のプロセッサ、実行中のソフトウェア）又はハードウェアとソフトウェアの組合せであってもよいし、それを含んでいてもよい。例えば、通信コンポーネント４０２は、他のデバイスからＵＥ１０２に送信された高周波（ＲＦ）信号を受信及び処理することを促進するハードウェア及び／又はソフトウェアを含み得る受信コンポーネント４０４を含み得る。通信コンポーネント４０２はまた、システム１００のそれぞれのネットワークＴＰデバイス１０４を含む他のデバイスにＲＦデータ信号を送信することを促進するハードウェア及び／又はソフトウェアを含み得る送信コンポーネント４０６を含み得る。ある実施形態では、通信コンポーネント４０２は、単一のアンテナ又はポートを含み得る。他の実施形態では、通信コンポーネント４０２は、複数のアンテナ又はポートを含み得る。種々の例示の実施形態では、通信コンポーネント４０２は、２以上の地理的に離れたＴＰによって送信されるデータ信号の（例えば、本非同期マルチポイント送信技術の緩和されたＱＣＬ要件による）少なくとも比較的同時の受信を含むＭＩＭＯ無線通信プロトコルをサポートし得る。例えば、本開示の種々の態様及び実施形態によると、受信機４０４は、本非同期マルチポイント送信方式による２以上の地理的に離れたＴＰから送信されるＲＦデータ信号を受信及び処理（例えば、復号）するように構成されたハードウェア及びソフトウェアを含み得る。
【００５０】
旧来的なＬＴＥ  ＣｏＭＰマルチポイント送信方式とは異なり、２以上の地理的に離れたＴＰから受信コンポーネント４０４によって受信及び処理されるデータ信号は、コンテンツ／情報、フォーマット及び／又は受信時間に関して異なり得る。例えば、それぞれのＴＰから受信されるデータ信号の各々は、異なるコードワードデータを含み得る。旧来的なマルチポイント送信とは異なり、本非同期マルチポイント送信方式では、ＴＰは同じ情報を送信することを要しない。その代わり、各ＴＰは、それぞれのデータ信号に含まれる異なるコードワード情報を復号、処理及び合成して、（例えば、データ割当てプラットフォーム１１０によって）ＵＥに送信されてからそれぞれのＴＰに割り当てられる元のデータを表す単一のデータストリーム、データ構造体、データブロックなどを出力するように構成され得る。上述のように、コードワードは、以下のうちの１つに基づいて異なり得る：１．それらは同じデータを含み若しくは表すが、異なる符号化方式を有する、２．それらは同じデータの異なるサブセット若しくは部分を含み若しくは表し、同じ符号化方式を有する、又は３．それらは同じデータの異なるサブセット若しくは部分を含み若しくは表すが、異なる符号化方式を有する。
【００５１】
さらに、おそらくは１以上の異なるコードワードを含む異なるＴＰから受信されたデータ信号に対して、コードワードはＰＤＳＣＨの異なる空間レイヤ上に区分け又はマッピングされ得る。例えば、空間多重送信技術では、１以上のコードワードは、１、２、３又は４層の空間レイヤにわたって分散され得る。種々の実施例において、任意の特定の送信において用いられるレイヤ数は、ＵＥが何層のレイヤを見分けることができ及び／又は扱うことができるかを識別するＵＥから受信されるランク表示（ＲＩ）フィードバックに（少なくともある程度）依存する。本非同期マルチポイント送信技術であれば、ＴＰの各々は、データ送信について使用される空間レイヤを独立して決定するスケジューラを含み得る。したがって、受信コンポーネント４０４は地理的に離れた異なるＴＰからデータ信号を受信することができ、データ信号の少なくとも１つは他のデータ信号とは異なる空間レイヤにマッピングされる１以上のコードワードを含む。種々の実施例では、受信機コンポーネント４０４はさらに、潜在的なレイヤ間干渉に対処する選択的な高度な受信機処理でのＳＵ−ＭＩＭＯ処理技術を用いて、空間的に区分けされた異なるデータ信号をさらに処理することができる。
【００５２】
また、２つのＴＰからＵＥ１０２受信機によって受信されるそれぞれのデータ信号の周波数割り当ても、同期されないので変動し得る。特に、それぞれのデータ信号をスケジューリングするのに別個のスケジューラがそれぞれのＴＰによって使用されるので、（例えば、図３に示すように）全てのＴＰからのレイヤ及びコードワードのＰＲＢ割当て（リソース割当て）が同じである必要はない。これは、各ＴＰから割り当てられたリソースブロックが独立している非同期マルチポイント送信の核心である。したがって、種々の実施例において、２以上の異なるＴＰからＵＥ１０２受信コンポーネント４０４によって受信されるそれぞれのデータ信号のリソースブロック構成は変動し得る。
【００５３】
またさらに、本非同期マルチポイント送信方式の結果として緩和された他の基準は、ＴＰがその間の厳密な時間−周波数同期を維持する必要はないことである。ＰＤＳＣＨの複数かつ別個のレイヤは、ＵＥ側において定期ＳＵ−ＭＩＭＯとして扱われ得る異なるＴＰから送信される。したがって、種々の実施形態において、それぞれのＴＰからのデータ信号の送信及びそれゆえ受信のタイミングは、ＣｏＭＰに関連するＱＣＬ出現要件を維持するようには協調されない。例えば、本非同期送信技術によると、ＵＥ１０２受信コンポーネント４０４は、同じデータトランスポートパケットを表す２以上のＴＰからデータ信号を受信することができるが、データ信号の送信及びそれゆえ受信のタイミングは非同期となり得る。例えば、異なるデータ送信の受信の間の時間のウィンドウは、変動し、ＣｏＭＰに必要な時間の最小ウィンドウ（例えば、３ｍｓ超）よりも長くなり得る。
【００５４】
したがって、本非同期マルチポイント送信技術の種々の実施例によると、ＵＥ１０２受信コンポーネント４０４は、２以上のネットワークＴＰから２以上のデータ信号をそれぞれ受信することができる。ＴＰ（又はそれらのスケジューラ）間でのタイトな協調スケジューリングが本非同期マルチポイント送信技術では実行されないため、データ信号の１以上は、（たいていは偶然の一致がない場合に）表されるコードワード、空間レイヤマッピング、ＰＲＢ割当て又は受信のタイミングの少なくとも１つによって変動することになる。ただし、受信機コンポーネント４０４は、この変動に理由を与え、それぞれのＴＰに与えられる元の（同じ）データパケット／トランスポートブロックを表す単一のデータストリーム又はデータパケットを出力するようにデータ信号を復号及び傍受するように構成され得る。
【００５５】
１以上の実施形態では、本非同期マルチポイント送信技術に応じて２以上のＴＰによって送信されたデータ信号は、ＵＥによってそれぞれのＴＰに提供されるＣＳＩフィードバック情報にある程度基づいてそれぞれのＴＰ（又はそれらのスケジューラ）によって独立して処理され得る。例えば、それぞれのＴＰによって送信されるデータ信号の各々の特定のコードワード、レイヤマッピング構成、ＰＲＢ割当て、ＭＳＣレベルなどは、ＵＥ１０２から受信されるＣＳＩにある程度基づいて決定され得る。このＣＳＩ情報は、これに限定されることなく、送信ランク情報（ＲＩ）、チャネル品質インデックス情報、ＭＣＳ情報、ＰＭＩ情報、ビームフォーミング重み付け、遅延スプレッド、ドップラースプレッド、ドップラーシフト、平均ゲイン及び平均遅延などに関する１以上のパラメータを含み得る。これらの実施形態によると、ＵＥは、それぞれのＴＰへのプロビジョニングについてのＣＳＩ情報を決定するＣＳＩコンポーネント４０８を含み得る。
【００５６】
無線通信では、チャネル状態情報（ＣＳＩ）とは、通信リンクの既知のチャネル特性をいう。この情報は、どのように信号が送信機から受信機に伝搬するかを記述し、例えば、散乱、フェージング、及び距離に応じた電力減衰の合成効果を表す。その方法を、チャネル推定という。ＣＳＩは、送波を現在のチャネル条件に適合させることを可能とし、これはＭＩＭＯシステムにおける高いデータレートでの信頼性の高い通信を実現するために重要である。逆方向リンク推定がＴＤＤシステムで可能であるが、ＣＳＩは受信デバイス（すなわち、マルチポイント送信に関してＵＥ１０２）で推定され、定量化され、送信デバイス（例えば、ネットワークＴＰデバイス）にフィードバックされる必要がある。したがって、送信機及び受信機は、異なるＣＳＩを有し得る。送信機におけるＣＳＩ及び受信機におけるＣＳＩは、それぞれＣＳＩＴ及びＣＳＩＲといわれることもある。
【００５７】
１以上の実施形態では、非同期マルチポイント送信を促進することに関連して、ＣＳＩコンポーネント５０８は、それぞれのＴＰに対して異なるＣＳＩ情報を決定するように構成され得る。異なるＣＳＩ情報は、ＵＥ１０２とＴＰの各々との間のそれぞれのリンクに関連するチャネル条件をそれぞれ表すことができる。例えば、ＵＥは、非同期マルチポイント送信方式に関係するＴＰの各々からのＣＳＩリソース（ＣＳＩ−ＲＳ）で構成され得る。ただし、全てのＣＳＩ−ＲＳを単一のＣＳＩリソースとして測定するのではなく、ＣＳＩコンポーネント５０８は、各ＴＰからのＣＳＩ−ＲＳを独立して特定又は測定するように構成され得る。これは、部分的ＣＳＩ−ＲＳのみを測定するようにＣＳＩコンポーネント５０８を構成することによって、又は各ＴＰからのＣＳＩ−ＲＳを別個のリソースとして測定するようにＣＳＩコンポーネント５０８を構成することによって実現可能となる。ＣＳＩコンポーネント５０８は、各ＴＰで独立して特定されたＣＳＩ−ＲＳ情報をＴＰの各々に提供するようにさらに構成され得る。したがって、各ＴＰは、それに提供される個々のＣＳＩ−ＲＳ情報にある程度基づいてコードワード、信号レイヤ及び周波数フォーマット、ＰＲＢ割当てなどに関するそれら自身の判断を行う。
【００５８】
本非同期マルチポイント送信方式の種々の実施形態において、２以上のＴＰは、複数のレイヤを各ＵＥに独立して送信する。したがって、あるシナリオでは、ＴＰの間のいずれの協調もなしに、合計送信ランクは、ＵＥのその最大ランクハンドリング能力を超え得る。ある実施形態では、このシナリオを防止するために、ＴＰ又はそれらのスケジューラは、合計送信ランクがＵＥの最大ランクハンドリング能力を超えないようにランクがＴＰ間で区分けされることを確実にする何らかのソフト協調を実行することができる。このソフト協調は、ランク及び空間レイヤ区分け並びにＰＲＢ区分けを関与させることができる。これらのソフト協調技術は、図７及びソフト協調コンポーネント７１８を参照して、より詳細に後述する。他の実施形態では、ＵＥは、それぞれのＴＰ間でのランク、空間レイヤマッピング及びＰＲＢ割当てを区分けする何らかのＵＥ側処理を実行するように構成され得る。ＵＥはさらに、ＵＥへのデータパケット／ブロックを表すデータ信号を共に送信することに関連してそれに従ってデータパケット又はデータ転送ブロックを処理及びフォーマットするようにそれぞれのＴＰを指示するように構成され得る。これらの実施形態によると、ＵＥは、ランク区分けコンポーネント４１２、レイヤ区分けコンポーネント４１４及びＰＲＢ区分けコンポーネント４１６を含み得る。
【００５９】
図５に、本開示の種々の態様及び実施形態による、ＵＥ特定の２以上のＴＰ間のランク及びレイヤの区分けに基づいて２以上のＴＰの送信によって非同期マルチポイント送信を促進する例示の処理５００のフロー図を示す。１以上の実施形態において、処理５００は、ＣＳＩコンポーネント４０８、ランク区分けコンポーネント５１２及びレイヤ区分けコンポーネント５１６を用いるＵＥ１０２によって実行され得る。それぞれの実施形態において採用される同様の要素の反復する説明は、簡明化のために省略される。
【００６０】
図４及び５を参照して、一実施例では、ランク及び空間レイヤを区分けすることに関連して、５０２において、ＣＳＩコンポーネント４０８がＴＰに対するＣＳＩ−ＲＳ情報を独立して測定することができ、ＴＰはＵＥとのマルチポイント送信を実行することに関連付けられる。例えば、マルチポイント送信方式に関与する各ＴＰについて、ＣＳＩコンポーネント４０８は、ＵＥとＴＰの間に確立された通信リンクに関連するＣＳＩ−ＲＳ情報を特定することができる。５０４において、ランク区分けコンポーネント４１２を用いて、ＵＥは、集合的なＣＳＩ−ＲＳ情報に基づいて共有ＰＤＳＣＨチャネルの合計ランクを特定することができる。例えば、各ＵＥ  ＴＰリンクに対するＣＳＩ−ＲＳ情報に基づいて、ＵＥは各リンクに関連する個々の送信ランクを特定することができる。そして、ＵＥは、各リンクに関連するランクの合計に基づいてチャネルの合計ランクを特定することができる。５０６において、ランク区分けコンポーネント４１２を用いて、ＵＥは、チャネルの合計ランクがＵＥ最大ランクを超えるか否かを判定する。
【００６１】
ＵＥが５０６において合計ランクがＵＥ最大ランク能力を超えていないと判定した場合には、方法５００は５０８に続き、ＵＥがそれぞれのＴＰについてのＣＳＩ−ＲＳ情報をそれぞれのＴＰに送信する。そして、５１０において、ＵＥは、ＣＳＩ−ＲＳ情報に（ある程度）基づいてそれぞれのＴＰからデータ信号を受信する。例えば、それぞれのＴＰは、ＵＥから各ＴＰに提供されるそれぞれのＣＳＩ−ＲＳ情報に基づいて、共に受信されたデータトランスポートブロックをＵＥへの送信のためにどのように処理するかを決定することができる。ある実施形態では、それぞれのＴＰは、どのようにコードワードを構成するのか、どのようにコードワードを１以上の空間レイヤにマッピングするのか、どのようにコードワードをそれぞれのＰＲＢに割り当てるのかなどを独立して決定することができる。ＴＰはさらに、送信の時間を同期することなく、それらの決定された送信フォーマットにおいてコードワードを表す情報を備えるデータ信号をＵＥに送信することができる。したがって、種々の実施形態において、異なるＴＰからＵＥによって受信されるそれぞれのデータ信号は、時間、周波数及び／又は（コードワード）コンテンツにおいて同期されることはない。ある実施例では、（図７及びソフト協調コンポーネント７１８に関して記載したように）送信の合計ランクがＵＥの最大ランク能力を超えないことを確実にするために、ＴＰは（５１０において受信された）データ信号をＵＥに送信する前に何らかのソフト協調を実行することができる。
【００６２】
ＵＥが５０６において合計ランクがＵＥ最大ランク能力を超えると判定する場合には、方法５００は５１２に続く。その後、５１２において、ランク区分けコンポーネント４１２及びレイヤ区分けコンポーネント５１４をそれぞれ用いて、ＵＥはＵＥ最大ランク以下の合計ランクとなるＴＰ間の最適ランク及びレイヤ区分け割当てを特定する。例えば、２以上のＴＰ上で同じレイヤを用いることを回避するようにレイヤマッピングが各ＴＰとは異なるように、ＵＥはＴＰ間で空間レイヤを区分けすることができる。ＵＥはさらに、各ＴＰから送信ランクの最適な組合せを特定することができる。その後、５１４において、ＵＥは、それぞれのＴＰに、それぞれのＴＰについて特定されたＣＳＩ−ＲＳ情報及びそれぞれのＴＰについてのランク／レイヤ区分け割当て情報を送信することができる。例えば、ランク／レイヤ区分け割当て情報は、それらが採用を許可された送信ランクはどれか、及びそれぞれのＴＰが使用可能な空間レイヤはどれかを各ＴＰに示すことができる。５１６において、ＵＥは（上述のような）ＣＳＩ−ＲＳ情報及びランク／レイヤ区分け情報に基づくそれぞれのＴＰからのデータ信号を受信し、それぞれのデータ信号は時間、周波数及び／又は（コードワード）コンテンツにおいて同期されない。例えば、ランク／レイヤ区分け割当て情報の受信に応じて、各ＴＰは、それが割り当てられた空間レイヤのみを送信するように構成可能であり、その送信ランクはそのＴＰについてＵＥによって示された区分けランクを超えることはない。一方、ある実施例では、全てのＴＰからの合計送信ランクが各ＵＥの最大ランクハンドリング能力を超える可能性もないので、各ＴＰはＰＲＢ割当てを完全に独立して選択することができる。
【００６３】
種々の実施形態において、データ信号をＵＥに送信するのにそれぞれのＴＰによって採用されたランク及び空間レイヤを区分けすることに加えて、ＵＥは、ＰＲＢを区分けするように構成されてもよい。例えば、全体送信ランクがＵＥの最大ランク能力を超えることを回避する他の可能なやり方は、複数のＴＰ間でＰＲＢを区分けすることによるものである。要は、各ＴＰは、システム帯域幅のサブセットを介してのみ送信することを許可されることができ、各ＴＰが確実にシステム帯域幅の、分断されかつ重複しない部分で送信することによって、我々は送信ランクがＵＥの最大ランクハンドリング能力を超える場合を回避することができる。図７及びソフト協調コンポーネント７１８に関して後述するように、ある実施形態では、この分断ＰＲＢ割当ては、（多分にランク／レイヤ区分けのように）それぞれのＴＰの複数のスケジューラ間での協調によって実現可能となる。ただし、種々の代替実施形態において、ＵＥは、ＰＲＢ区分けコンポーネント４１６を用いる各ＴＰからのＰＲＢの最適な選択を特定するように構成されてもよい。そして、ＵＥは、フィードバックをそれぞれのＴＰに送信して、それらにＰＲＢ区分けコンポーネント４１６によって特定されたＰＲＢ割当て構成を適用させることができる。
【００６４】
例えば、図６に、本開示の種々の態様及び実施形態による、２以上のＴＰ間でＵＥ決定のＰＲＢ区分けに基づいて２以上のＴＰの送信によって非同期マルチポイント送信を促進する例示の処理６００のフロー図を示す。１以上の実施形態において、処理６００は、ＣＳＩコンポーネント４０８、ランク区分けコンポーネント４１２及びＰＲＢ区分けコンポーネント４１６を用いてＵＥ１０２によって実行され得る。
【００６５】
図４及び６を参照して、一実施例では、ランク及び空間レイヤを区分けすることに関連して、ＣＳＩコンポーネント４０８は、６０２において、ＴＰに対するＣＳＩ−ＲＳ情報を独立して測定することができ、ＴＰはＵＥとのマルチポイント送信を実行することに関連付けられる。例えば、マルチポイント送信方式に関与する各ＴＰについて、ＣＳＩコンポーネント４０８は、ＵＥとＴＰの間に確立された通信リンクに関連するＣＳＩ−ＲＳ情報を特定することができる。６０４において、ＵＥは、ＰＲＢ区分けコンポーネント４１６を用いて、ＣＳＩ−ＲＳ情報に基づいてそれぞれのＴＰについて許可されたＰＲＢ割当てを特定することができる。例えば、各ＴＰについて、ＵＥは、ＴＰがコードワードデータを送信するのに使用可能な１以上のＰＲＢの異なるセット又はグループを特定することができる。１以上の実施例において、ＵＥはシステム帯域幅全体にわたってチャネルを観察することができ、どのＴＰが所与のＰＲＢ又はＰＲＢのグループについての最良サービングＴＰであるのかを特定する。最良ＴＰが各ＰＲＢ又はＰＲＢのグループについて特定されると、ＵＥは、ＴＰが割り当てられるＰＲＢ又はＰＲＢのグループに基づいてＴＰ固有ランクを計算することもできる。６０６において、ＵＥは、ＰＲＢ区分けコンポーネント４１６及び／又はランク区分けコンポーネント４１２を用いて、チャネルの合計ランクはＵＥの最大ランクを超えないように、それらのそれぞれの許可されたＰＲＢ割当てに基づいてそれぞれのＴＰについての送信ランクを特定する。重要な考察は、ランクがＴＰ固有であり、ＵＥが所与のＴＰについて選択したＰＲＢを用いてのみ計算されることである。
【００６６】
６０８において、ＵＥは、それぞれのＴＰについて特定されたＣＳＩ−ＲＳ情報及びそれぞれのＴＰに対する許可されたＰＲＢ割当て又はランクに関するＰＲＢ／ランク区分け割当て情報をそれぞれのＴＰに送信することができる。例えば、ＴＰ間の最適ＰＲＢ区分けが特定されると、ＵＥはその選択をネットワークに示し、それはどのＴＰがどのＰＲＢにおいてどの送信ランクを用いて遷移することを許可されるのかも示す。６１０において、ＵＥは、（上述のような）ＣＳＩ−ＲＳ情報及びＰＲＢランク／レイヤ区分け情報に基づいてそれぞれのＴＰからデータ信号を受信し、それぞれのデータ信号は時間、周波数及び／又は（コードワード）コンテンツにおいて同期されない。例えば、このフィードバックの受信に応じて、各ＴＰは、それが構成されるＰＲＢにおいてのみ送信するように構成可能であり、その送信ランクはそのＴＰについてＵＥによって示されるようなランクを超えることはない。このように、各ＴＰは、所与のＵＥに対して割り当てられるＰＲＢのグループから選択する限り、ＰＲＢ割当てを完全に独立して選択することができる。これはまた、所与のＰＲＢについて最大送信ランクがＵＥの最大ランクハンドリング能力以下であることを確実にする。
【００６７】
図７に、本開示の種々の態様及び実施形態による非同期マルチポイント送信を促進するように構成された例示のネットワークＴＰデバイス（例えば、ネットワークＴＰデバイス１０４）の上位ブロック図を示す。それぞれの実施形態において採用される同様の要素の繰返しの説明は、簡明化のために省略される。
【００６８】
種々の実施形態において、ネットワークＴＰデバイス１０４は、通信コンポーネント７０２、ＣＳＩコンポーネント７０８及びスケジューラコンポーネント７１６を含み得る。ネットワークＴＰデバイス１０４は、コンピュータ実行可能なコンポーネント及び命令を記憶するように構成されたメモリ７１４を含み得る。例えば、メモリ７１４の外部に図示されているが、メモリ７１４に記憶されるコンピュータ実行可能なコンポーネントは、通信コンポーネント７０２、ＣＳＩコンポーネント７０８及びスケジューラコンポーネント７１６に関連するソフトウェア命令を含み得る。ネットワークＴＰデバイス１０４は、ネットワークＴＰデバイス１０４による命令（例えば、コンピュータ実行可能なコンポーネント及び命令）の動作を促進するプロセッサ７１２も含み得る。当該プロセッサ７１２及びメモリ７１４の例は、ネットワークＴＰデバイス１０４によって採用され得る他の適切なコンピュータ又はコンピューティングベースの要素と同様に、図１２を参照して分かる。ネットワークＴＰデバイス１０４は、これに限られることなく、通信コンポーネント７０２、ＣＳＩコンポーネント７０８、スケジューラコンポーネント７１６、プロセッサ７１２及びメモリ７１４を含むネットワークＴＰデバイス１０４の種々のコンポーネントを接続するデバイスバス７１０をさらに含み得る。
【００６９】
通信コンポーネント７０２は、ネットワークＴＰデバイス１０４とＵＥ（例えば、ＵＥ１０２）のような他のデバイスとの間の無線通信を促進することができる。通信コンポーネント７０２は、ネットワークＴＰデバイス１０４と１以上のネットワークデバイス（例えば、コア無線通信ネットワーク１０６の１以上のネットワークデバイス１０８）などとの間の有線及び無線通信を促進することもできる。通信コンポーネント７０２は、ハードウェア（例えば、中央処理装置（ＣＰＵ）、１以上の送信機、１以上の受信機、１以上の送受信機、１以上の復号器）、ソフトウェア（例えば、一組のスレッド、一組の処理、実行中のソフトウェア）又はここに記載する種々のタイプの有線及び無線通信のうちの１以上を促進するハードウェアとソフトウェアの組合せであってもよいし、それを含んでいてもよい。例えば、通信コンポーネント７０２は、ＵＥ１０２から受信された無線周波数（ＲＦ）信号を受信及び処理することを促進するハードウェア及び／又はソフトウェアを含み得る受信コンポーネント７０４を含み得る。通信コンポーネント７０２はまた、ＲＦデータ信号をＵＥ１０２などの他のデバイスに送信することを促進するハードウェア及び／又はソフトウェアを含み得る送信コンポーネント７０６を含み得る。ある実施形態では、通信コンポーネント７０２は、単一のアンテナ又はポートを含み得る。他の実施形態では、通信コンポーネント７０２は、複数のアンテナ又はポートを含み得る。
【００７０】
種々の例示の実施形態では、通信コンポーネント７０２は、ネットワークＴＰデバイス１０４及び非同期マルチポイント送信に関係する他のネットワークＴＰデバイスによるデータの（例えば、本非同期マルチポイント送信技術の緩和されたＱＣＬ要件による）少なくとも比較的同時のＵＥへの送信を含むＭＩＭＯ無線通信プロトコルをサポートし得る。例えば、本開示の種々の態様及び実施形態によると、受信機７０４は、コア無線通信ネットワークのＰＤＣＰ、ＲＬＳ及びＭＡＣレイヤからのトランスポートブロックデータを受信するように構成されたハードウェア及びソフトウェアを含み得る。トランスポートブロックデータは、ＰＨＹレイヤ（例えば、ネットワークＴＰデバイス１０４）が特定のＵＥ（例えば、ＵＥ１０２）に向けられたデータであるデータプロトコルユニット（ＰＤＵ）である。ネットワークＴＰデバイス１０４は、送信機コンポーネント７０６を介してＵＥに送信するための（例えば、スケジューラコンポーネント７１６を用いる）本非同期マルチポイント送信技術の１以上の態様に応じてデータトランスポートブロックを処理するように構成され得る。したがって、送信機コンポーネント７０６は、処理されたデータトランスポートブロックをデータ信号としてＵＥに送信することを促進するハードウェア及び／又はソフトウェアを含み得る。
【００７１】
前述のように、旧来的なＬＴＥ  ＣｏＭＰマルチポイント送信方式とは異なり、地理的に離れた２以上のＴＰによってＵＥに送信されるデータ信号は、コンテンツ／情報、フォーマット及び／又は受信時間に関して異なり得る。例えば、ネットワークＴＰデバイス１０４によって送信されるデータ信号は、ＵＥに向けられたデータの部分を表す１以上のコードワードを含むことがあり、１以上の他のＴＰはデータの他の部分を表すコードワードを含んでいたデータ信号を送信する。他の実施例では、ネットワークＴＰデバイス１０４は、１以上の他のＴＰによって送信される他のコードワードと同じデータを含み又は表すコードワードを送信することができるが、それぞれのコードワードは符号化方式において異なり得る。種々の実施形態において、ネットワークＴＰデバイス１０４及び他のそれぞれのＴＰデバイスは独立してかつ相互での同期又は協調なしに（例えば、スケジューラコンポーネント７１６などの個々のスケジューラを用いて）データトランスポートブロックを処理することができるため、それぞれのＴＰは異なるコードワードを送信することができる。
【００７２】
例えば、ネットワークＴＰデバイス１０４は、本非同期マルチポイント送信方式の１以上の態様によるネットワークＴＰデバイス１０４に対するデータ送信を処理及びスケジューリングすることを促進するスケジューラコンポーネント１０４を含み得る。スケジューラコンポーネントは、コードワードスケジューリング７２０、レイヤスケジューリングコンポーネント７２２、ＰＲＢスケジューリングコンポーネント７２４及びタイミングスケジューリングコンポーネント７２６を含み得る。コードワードスケジューリングコンポーネント７２０は、受信されたデータトランスポートブロックをコードワードに処理するように構成可能である。レイヤスケジューリングコンポーネント７２２はコードワードを（例えば、ＰＤＳＣＨの）１以上の空間レイヤにマッピングするように構成可能であり、ＰＲＢスケジューリングコンポーネント７２４はコードワード及び空間レイヤを（例えば、ＰＤＳＣＨの）ＰＲＢに割り当てるように構成可能であり、タイミングスケジューリングコンポーネント７２６はネットワークＴＰデバイス１０４によって送信されるデータ信号の送信時間をスケジューリングするように構成可能である。
【００７３】
１以上の実施形態によると、コードワードスケジューリングコンポーネント７２０は、受信データトランスポートブロックからコードワード情報を生成することに関連して１以上の他のＴＰデバイス（又はそれらのスケジューラ）との協調をほとんど又は全く行わない。したがって、コードワードスケジューリングコンポーネント７２０によって生成されたコードワード情報は、１以上の他のＴＰデバイス（又はそれらのスケジューラ）によって生成されるコードワード情報とは異なり得る。
【００７４】
さらに、１以上の異なるコードワードを表すデータをおそらくは含む異なるＴＰに送信された（同じデータトランスポートブロックから生成された）データ信号に対して、コードワードは、ＰＤＳＣＨの異なる空間レイヤ上に区分け又はマッピングされ得る。例えば、１以上の実施形態によると、レイヤスケジューリングコンポーネント７２２は、（例えば、ＰＤＳＣＨの）１以上の空間レイヤにコードワード情報をマッピングすることに関連して１以上の他のＴＰデバイス（又はそれらのスケジューラ）との協調をほとんど又は全く行わないように構成され得る。したがって、スケジューラコンポーネント７１６によって生成されるデータ信号は、１以上の他のＴＰデバイス（又はそれらのスケジューラ）によって生成されるデータ信号に対する異なる空間レイヤマッピングを有し得る。
【００７５】
また、ネットワークＴＰデバイス１０４及び１以上の他のＴＰによってＵＥに送信される（同じデータトランスポートブロックから生成される）それぞれのデータ信号の周波数割当ても、同期されないために変動し得る。特に、別個のスケジューラがそれぞれのＴＰによって使用されてそれぞれのデータ信号をスケジューリングするので、（例えば、図３に示すように）全てのＴＰからのレイヤ及びコードワードのＰＲＢ割当て（リソース割当て）が同じである必要はない。これは、各ＴＰから割り当てられるリソースブロックが独立している非同期マルチポイント送信の核心である。したがって、種々の実施例において、ＰＲＢスケジューリングコンポーネント７２４は、コードワード情報を（例えば、ＰＤＳＣＨの）１以上のＰＲＢに割り当てることに関連して１以上の他のＴＰデバイス（又はそれらのスケジューラ）との協調をほとんど又は全く行わないように構成され得る。
【００７６】
またさらに、本非同期マルチポイント送信方式の結果として緩和された他の基準は、ＴＰがその間の時間−周波数同期を維持する必要はないことである。ＰＤＳＣＨの複数かつ別個のレイヤは、ＵＥ側において定期ＳＵ−ＭＩＭＯとして扱われ得る異なるＴＰから送信される。したがって、種々の実施形態において、それぞれのＴＰからのデータ信号の送信及びそれゆえ受信のタイミングは、ＣｏＭＰに関連するＱＣＬ出現要件を維持するようには協調されない。したがって、１以上の実施形態において、タイミングスケジューリングコンポーネント７２６は、ネットワークＴＰデバイス１０４によって送信されるデータ信号の送信時間をスケジューリングすることに関連して１以上の他のＴＰデバイス（又はそれらのスケジューラ）との協調をほとんど又は全く行わないように構成され得る。
【００７７】
ある実施形態では、スケジューリングコンポーネント７１６又はスケジューリングコンポーネント７１６の１以上のコンポーネント（例えば、ソフト協調コンポーネント７１８、コードワードスケジューリングコンポーネント７２０、レイヤスケジューリングコンポーネント７２２、ＰＲＢスケジューリングコンポーネント７２４及びタイミングスケジューリングコンポーネント７２６）は、ネットワークＴＰデバイス１０４に通信可能に接続された別個のネットワークデバイスにおいて提供され得る。例えば、ある実施例では、スケジューラコンポーネント７１６は、ネットワークＴＰデバイス１０４に通信可能に接続された専用スケジューラデバイス（ここでは「スケジューラ」ともいう）であってもよいし、そこに含まれてもよい。
【００７８】
１以上の実施形態において、本非同期マルチポイント送信技術による２以上のＴＰによって送信されるデータ信号は、ＵＥによってそれぞれのＴＰに提供されるＣＳＩフィードバック情報にある程度基づいてそれぞれのＴＰ（又はそれらのスケジューラ）によって独立して処理され得る。例えば、スケジューラコンポーネント７１６によって処理及びスケジューリングされるデータ信号の特定のコードワード、レイヤマッピング構成、ＰＲＢ割当て、送信時間、ＭＣＳレベルなどは、ＵＥ１０２から受信されるＣＳＩにある程度基づいて特定される。このＣＳＩ情報は、これに限定されることなく、送信ランク情報（ＲＩ）、チャネル品質インデックス情報、ＭＣＳ情報、ＰＭＩ情報、ビームフォーミング重み付け、遅延スプレッド、ドップラースプレッド、ドップラーシフト、平均ゲイン及び平均遅延などに関する１以上のパラメータを含み得る。これらの実施形態によると、ネットワークＴＰデバイス１０５は、ＵＥからＣＳＩ情報を受信し、データトランスポートブロックを処理することを促進するスケジューラコンポーネント７１６に情報を提供するＣＳＩコンポーネント７０８を含み得る。種々の実施形態において、ＵＥからＣＳＩコンポーネント７０８によって受信されたＣＳＩ情報は、ネットワークＴＰデバイス１０４とＵＥの間で確立された無線通信リンクに基づいてネットワークＴＰデバイス１０４に特化されることになる。例えば、ＵＥは、複数のＴＰからＣＳＩ−ＲＳリソースで構成され得る。しかし、全てのＣＳＩ−ＲＳを単一のＣＳＩ−ＲＳリソースとして測定するのではなく、ＵＥは、各ＴＰからのＣＳＩ−ＲＳを独立して測定し、ＣＳＩ−ＲＳを各ＴＰに独立に報告するように構成され得る。種々の更なる実施形態において、ＣＳＩコンポーネント７０８は送信機側ＣＳＩ情報（例えば、ＣＳＩＴ）を測定することもでき、スケジューラコンポーネント７１６はデータトランスポートブロックを独立して処理及びスケジューリングすることに関してＣＳＩＴを採用することもできる。
【００７９】
本非同期マルチポイント送信方式の種々の実施形態において、２以上のＴＰは、複数のレイヤを各ＵＥに独立して送信する。したがって、あるシナリオでは、ＴＰ間の協調なしに、合計送信ランクがＵＥのその最大ランクハンドリング能力を超え得る。ある実施形態では、このシナリオを防止するために、ＴＰ又はそれらのスケジューラは、合計送信ランクがＵＥの最大ランクハンドリング能力を超えないように何らかのソフト協調を実行してランクがＴＰ間で区分けされることを確実にすることができる。これらの実施形態によると、スケジューラコンポーネント７１６は、このソフト協調を促進するソフト協調コンポーネント７１８を含み得る。ソフト協調コンポーネント７１８は、それぞれのＴＰ間でランク、空間レイヤ及び／又はＰＲＢを区分けすることを促進するように構成され得る。ソフト協調コンポーネント７１８は、例えば、ランク区分けコンポーネント４１２、レイヤ区分けコンポーネント４１４及びＰＲＢ区分けコンポーネント４１６と同じ又は同様の態様で、それぞれランク、空間レイヤ及び／又はＰＲＢを区分けするように構成され得る。ソフト協調コンポーネント７１８によって実行される協調は、このソフト協調の時間スケールがＴＴＩ（遷移時間間隔）と同じではないため、「ソフト」と考えられる。これは、チャネルにおけるランクの変化がより長い時間スケールにわたって観察されるためである。したがって、幾つかのＴＴＩ又は数十のＴＴＩのレイテンシは、この種の遅い協調がＴＰ間のランク、レイヤ及び／又はＰＨＢを区分けするのに充分なものとなり得る。
【００８０】
例えば、ランク及びレイヤの区分けに関して、ソフト協調コンポーネント７１８は、それらの個々のランクに関して他のそれぞれのＴＰから（例えば、それらのソフト協調コンポーネントを介して）情報を受信し、チャネルの合計ランクがＵＥの合計ランクを超えるか否かを（例えば、ＵＥから受信された情報ＲＩに基づいて）判定することができる。合計ランクがＵＥ最大ランクを超えるという判定に基づいて、ソフト協調コンポーネントは、区分けされたランクがＵＥ最大ランクを超えないようにそれぞれのＵＥ間のランクを区分けすることができる。ソフト協調コンポーネント７１８は、それぞれのＴＰ間のレイヤを、それらが異なる重複しないレイヤを使用するように区分けすることもできる。そして、ソフト協調コンポーネントは、他のＴＰの各々をそれらのランク／レイヤ割当てに関して指示することができ、それらのスケジューラはそれに従ってデータ信号を構成することができる。ＴＰのいずれか１つが協調の役割を担うことができ、これがそれぞれのＴＰによって合意され、又はネットワークによって特定のＴＰに割り当てられ得ることが理解されるべきである。他の実施形態では、中央化スケジューリングデバイスが、このＴＰ間のランク及びレイヤ割当てを区分けするソフト協調を実行することができる。ＰＲＢは、同一又は類似の処理を用いてＴＰ間で区分けされ得る。
【００８１】
他の実施形態では、図４〜６に関して記載したように、ＵＥは、それぞれのＴＰ間のランク、空間レイヤ及びＰＨＢを区分けする責任を担うことができる。これらの実施形態によると、一実施例では、スケジューラコンポーネント７１６は、ＵＥがＴＰを特定のランク及び空間レイヤ構成に割り当てることによって特定された情報を受信することができる。このフィードバックの受信に応じて、スケジューラコンポーネントはそれに従って送信のためのデータ信号を構成することができる。例えば、スケジューラコンポーネントレイヤスケジューリングコンポーネント７２２は、ＵＥによって割り当てられた空間レイヤ及びランクを使用するのみでネットワークＴＰによる送信のためのデータ信号を構成することができる。一方、全てのＴＰからの合計送信ランクが各ＵＥの最大ランクハンドリング能力を超える可能性はないので、ＰＲＢスケジューリングコンポーネント７２４はＰＲＢ割当てを（他のＴＰのＰＲＢ割当てとの同期なしに）任意に選択することができる。他の実施例では、スケジューラコンポーネント７１６は、ＵＥがＴＰを特定のランク及びＰＲＢ構成に割り当てることによって特定された情報を受信することができる。ＰＲＢ構成は、許可されたランクと同様にネットワークＴＰが使用を許可されたＰＲＢのグループを識別可能とする。このフィードバックの受信に応じて、ＰＲＢスケジューリングコンポーネント７２４は、コードワード情報を割当てグループに含まれるＰＲＢの１以上に割り当てることを採用するように構成可能であり、送信ランクはそのＴＰに対してＵＥによって示されるようなランクを超えることはない。このように、各ＴＰは、ＰＲＢ割当てを、ＵＥから割り当てられたＰＲＢのグループからそれが選択される限り、完全に独立して選択することができる。これにより、所与のＰＲＢに対する最大送信ランクがＵＥの最大ランクハンドリング能力以下となることも確実となる。
【００８２】
上述の例示のシステムの観点において、開示事項に応じて実施され得る例示の方法が図８〜１０のフローチャートを参照してより深く理解可能となる。説明の簡明化のため、ここに開示される例示の方法が一連の動作として提示及び説明されるが、特許請求される事項は動作の順序によって限定されず、ある動作はここに図示及び記載されるものとは異なる順序で及び／又は他の動作と同時に行われ得ることが把握及び理解されるべきである。例えば、ここに開示される１以上の例示の方法は、状態図にあるような一連の相互に関係する状態又はイベントとして代替的に表され得る。さらに、相互作用図は、無関係なエンティティが方法の無関係な部分を行う場合に開示事項に応じて方法を表し得る。またさらに、記載される全ての動作が、本明細書による記載に係る例示の方法を実施するのに必要となるわけではない。またさらに、ここに記載される１以上の態様を実現するために、開示の例示の方法の２以上が相互の組合せにおいて実施されてもよい。本明細書を通じて開示される例示の方法は、そのような方法をプロセッサによる実行及びそれゆえ実施のために、又はメモリにおける記憶のためにコンピュータに搬送及び転送することを可能とするように製造物（例えば、コンピュータ可読媒体）に記憶されることができることがさらに理解されるべきである。
【００８３】
図８は、本開示の種々の態様及び実施形態による非同期マルチポイント送信を促進する例示の方法８００を示す。１以上の実施例において、方法８００は、本非同期マルチポイント送信技術の１以上の構成のアプリケーションによるＵＥ（例えば、ＵＥ１０２）によって実行される。それぞれの実施形態において採用される同様の要素の繰返しの説明は、簡明化のために省略される。
【００８４】
８０２において、プロセッサを備えるデバイス（例えば、ＵＥ１０２）は、無線通信ネットワーク（例えば、システム１００）の第１のＴＰデバイスから第１のデータ信号を受信し、第１のデータ信号は他のデバイスによってデバイスに向けられたデータに基づいて生成される第１のコードワード情報を備える。８０４において、デバイスは無線通信ネットワークの第２のＴＰデバイスからの第２のデータ信号を受信し、第２のデータ信号はデータトランスポートブロックに基づいて生成される第２のコードワードを備え、第１のコードワード情報と第２のコードワード情報とは異なり、第１の送信ポイントデバイスと第２のＴＰは地理的に閾距離だけ離れている。種々の実施例では、第１のコードワード情報及び第２のコードワード情報は、第１のＴＰデバイス及び第２のＴＰデバイスによる別個かつ非同期の送信信号スケジューラ（例えば、スケジューラ３０１及び３０２）の使用に基づいてそれぞれ異なる。
【００８５】
ある実施例では、第１及び第２のＴＰによる第１のデータ信号及び第２のデータ信号の送信のタイミングも非同期となり得る。例えば、第１のデータ信号及び第２のデータ信号は、それぞれ、第１のＴＰデバイス及び第２のＴＰデバイスによる別個かつ非同期の送信信号スケジューラの使用に基づいて非同期の時間にデバイスによって受信され得る。
【００８６】
さらに、ある実施例では、第１のデータ信号及び第２のデータ信号は、それぞれ、第１のコードワード情報及び第２のコードワード情報に対して異なる重複しないＰＲＢ割当てを備え得る。例えば、第１のデータ信号及び第２のデータ信号は、それぞれ、第１のＴＰデバイス及び第２のＴＰデバイスによる別個かつ非同期の送信信号スケジューラの使用に基づいて異なる重複しないＰＲＢ割当てを備え得る。ある態様では、別個かつ非同期のスケジューラを用いることによって異なる重複しないＰＨＢ割当てがもたらされたとしても、第１のデータ信号及び第２のデータ信号の合計ランクはデバイスの最大ランク容量を超えない。特に、ここに記載されるように、全体送信ランクがＵＥの最大ランク能力を超えることを回避する１つのやり方は、複数のＴＰ間でＰＲＢを区分けすることによるものである。例えば、各ＴＰにシステム帯域幅のサブセットを介してのみ送信させ、各ＴＰが確実にシステム帯域幅の、分断されかつ重複しない部分で送信することによって、送信ランクがＵＥの最大ランクハンドリング能力を超える場合が回避される。一実施例では、この分断されたＰＲＢ割当ては、第１のＴＰデバイスと第２のＴＰデバイスの間で実行されるＰＲＢ区分け協調手順の結果に基づいて実現される。他の実施例では、この分断されたＰＲＢ割当ては、デバイスによるＰＲＢ割当ての特定並びにそれぞれの第１及び第２のＴＰに対するＰＲＢ割当てを識別する情報のプロビジョニングに基づいて実現される。
【００８７】
また、種々の更なる実施例において、第１のデータ信号及び第２のデータ信号は、それぞれ、第１のコードワード情報及び第２のコードワード情報についての異なる重複しない空間レイヤ割当てを備え得る。例えば、第１のデータ信号及び第２のデータ信号は、それぞれ、第１のＴＰデバイス及び第２のＴＰデバイスによる別個かつ非同期の送信信号スケジューラの使用に基づいて異なる重複しない空間レイヤ割当てを備え得る。ある態様において、別個かつ非同期のスケジューラを使用することによって異なる空間レイヤ割当てがもたらされたとしても、その異なる空間レイヤ割当ては重複せず、第１のデータ信号及び第２のデータ信号の合計ランクはデバイスの最大ランク容量を超えない。この場合、空間レイヤは、全てのＴＰにわたる区分けレイヤの合計がＵＥの受信できる最大ランク以下であるという制約の下で複数のＴＰ間で区分けされる。一実施例では、この空間レイヤの区分けは、第１のＴＰデバイスと第２のＴＰデバイスの間で実行される空間レイヤ及びランクの区分け協調手順の結果に基づいて実現される。他の実施例では、この空間レイヤの区分けは、デバイスの最大ランク容量の観点でデバイスによって異なる空間レイヤ割当て及びランク割当てを特定すること並びにそれぞれの第１及び第２のＴＰに対する異なる空間レイヤ割当て及びランク割当てを識別する情報のプロビジョニングに基づいて実現される。
【００８８】
図９に、本開示の種々の態様及び実施形態による非同期マルチポイント送信を促進する例示の方法９００を示す。１以上の実施形態において、方法９００は、本非同期マルチポイント送信技術の１以上の構成のアプリケーションとの関連で無線通信システムのＴＰデバイス（例えば、ネットワークＴＰデバイス１０４の１つ）によって実行される。それぞれの実施形態において採用される同様の要素の繰返しの説明は、簡明化のために省略される。
【００８９】
９０２において、プロセッサを備える第１のＴＰデバイスが、デバイス（例えば、ＵＥ１０２）に向けられたデータの第１の部分を備えるデータトランスポートブロックを受信する。例えば、第１のＴＰデバイスは、他のデバイスからそのデバイスに送信されたユーザデータの部分を備えるデータトランスポートブロックを受信することができ、ネットワークデバイス（例えば、データ割当てプラットフォーム１１０）はＴＰ間の使用データを区分けしてスループットを増加させる。９０４において、第１のＴＰデバイスは、データを表す第１のコードワード情報を備える第１の信号データを生成するようにデータを処理する。９０６において、第１のＴＰデバイスは、デバイスに対する第２の信号データの無線通信ネットワークの第２のＴＰデバイスによる送信に関連付けて第１の信号データをデバイスに送信する。これらの動作によると、第２の信号データは、データの第２のサブセットを表す第２のコードワード情報を備える。さらに、第１のＴＰデバイス及び第２のＴＰデバイスは、地理的に閾距離だけ離れている。１以上の実施例において、第１の信号データを送信することは、それぞれ第１のＴＰデバイス及び第２のＴＰデバイスによる別個かつ非同期の送信信号スケジューラの使用に基づいて第２の信号データの送信に対して適時には同期されない。ある実施例では、第１のコードワード情報及び第２のコードワード情報は、それぞれ、第１のＴＰデバイス及び第２のＴＰデバイスによって別個かつ非同期の送信信号スケジューラの使用に基づいて異なる。
【００９０】
ある実施例では、第１のデータ信号及び第２のデータ信号は、それぞれ、第１の送信ポイントデバイス及び第２の送信ポイントデバイスによる別個かつ非同期の送信信号スケジューラの使用に基づいて、それぞれ、第１のコードワード情報及び第２のコードワード情報に対する異なる重複しない物理リソースブロック割当てを備える。種々の実施例において、第１のデータ信号及び第２のデータ信号は、それぞれ、第１の送信ポイントデバイス及び第２の送信ポイントデバイスによる別個かつ非同期の送信信号スケジューラの使用に基づいて、それぞれ、第１のコードワード情報及び第２のコードワード情報に対する異なる重複しない物理リソースブロック割当てを備える。これらの実施例によると、方法９００は、第１の送信ポイントデバイスによる使用について許可された第１の物理リソースブロックを識別するデバイスによって特定された第１のリソースブロック割当て情報をデバイスから第１のＴＰデバイスによって受信することをさらに含む得る。方法９００は、第１のＴＰデバイスによって、その受信に基づいて第１の物理リソースブロックの１以上に第１のコードワード情報を割り当てることをさらに含み得る。これらの実施例によると、第２の信号データは、第２の送信ポイントデバイスによる使用に対して許可された第２の物理リソースブロックを識別する情報の受信に基づいて、第２の送信ポイントデバイスによって、１以上の第２の物理リソースブロックに割り当てられる。
【００９１】
幾つかの更なる実施例において、第１のデータ信号及び第２のデータ信号は、それぞれ、第１の送信ポイントデバイス及び第２の送信ポイントデバイスによって別個かつ非同期の送信信号スケジューラの使用に基づいて、それぞれ、第１のコードワード情報及び第２のコードワード情報に対する異なる空間レイヤ割当てを備える。これらの更なる実施例であれば、方法９００は、第１のコードワード情報に対する空間レイヤ割当てを識別するデバイスによって特定された空間レイヤ割当て情報をデバイスから第１のＴＰデバイスによって受信すること、及び第１の信号データについてのランクを識別するデバイスによって特定されるランク割当て情報をデバイスから受信することをさらに含むことができる。方法９００は、空間レイヤ割当て情報及びランク割当て情報に基づいて第１の信号データを構成することをさらに含むことができ、その構成に基づいて、異なる空間レイヤ割当ては重複せず、第１のデータ信号及び第２のデータ信号の合計ランクはデバイスの最大ランク容量を超えない。
【００９２】
図１０に、本開示の種々の態様及び実施形態による非同期マルチポイント送信を促進する他の例示の方法１０００を示す。１以上の実施形態において、方法１０００は、本非同期マルチポイント送信技術の１以上の構成のアプリケーションとの関連でＵＥ（例えば、ＵＥ１０２）によって実行される。それぞれの実施形態において採用される同様の要素の繰返しの説明は、簡明化のために省略される。
【００９３】
１００２において、プロセッサを備えるデバイス（例えば、ＵＥ１０２）は、それぞれ、デバイスとそれぞれのＴＰデバイスとの間の通信リンクに関連するチャネル状態情報に基づいてそれぞれのＴＰデバイス間のデバイスの最大ランク容量を区分けするランク割当てを特定する。本非同期マルチポイント送信方式の種々の態様が２個のＴＰを用いて例示されるが、ＴＰの数は２以上のＴＰ（例えば、３個のＴＰ、４個のＴＰなど）を含むことが理解されるべきである。１００４において、デバイスは、ランク割当てに応じてそれぞれのＴＰに異なる空間レイヤを割り当てる、異なる重複しない空間レイヤ割当てを特定する。１００６において、デバイスは、それぞれのＴＰデバイスに対するランク割当てを識別するランク割当て情報を送信する。１００８において、デバイスは、それぞれのＴＰデバイスに対する異なる重複しない空間レイヤ割当てを識別する空間レイヤ割当て情報を送信する。例えば、デバイスは、各個々のＴＰについて具体的に特定された空間レイヤ及びランク割当てを各個々のＴＰに特定及び送信できる。各ＴＰの空間レイヤ及び／又はランク割当ては、異なることになる。１０１０において、デバイスはそれぞれのＴＰからそれぞれのデータ信号を受信し、データ信号はデバイスに向けられた同じデータを表す情報をそれぞれ備え、データ信号は異なる重複しない空間レイヤ割当てをそれぞれ有する。
【００９４】
図１１に、開示事項が相互作用できるコンピューティング環境１１００のブロック図である。システム１１００は、１以上のリモートコンポーネント１１１０を備える。リモートコンポーネント１１１０は、ハードウェア及び／又はソフトウェア（例えばスレッド、処理、コンピューティングデバイス）であり得る。ある実施形態では、リモートコンポーネント１１１０は、サーバ、パーソナルサーバ、無線電気通信ネットワークデバイス、ＲＡＮデバイスなどを備え得る。一例として、リモートコンポーネント１１１０は、ネットワークＴＰデバイス１１４、ネットワークデバイス１１８、ネットワークデバイス６００などであってもよい。システム１１００は、１以上のローカルコンポーネント１１２０も備える。ローカルコンポーネント１１２０は、ハードウェア及び／又はソフトウェア（例えばスレッド、処理、コンピューティングデバイス）であってもよい。ある実施形態では、ローカルコンポーネント１１２０は、例えば、ＵＥ１１２、ＵＥ５００などを備え得る。
【００９５】
リモートコンポーネント１１１０とローカルコンポーネント１１２０の間の１つの可能な通信は、２以上のコンピュータ処理の間で送信されるように適合されたデータパケットの形態となり得る。リモートコンポーネント１１１０とローカルコンポーネント１１２０の間の他の可能な通信は、無線タイムスロットにおける２以上のコンピュータ処理の間で送信されるように適合された回線交換データの形態となり得る。システム１１００は、リモートコンポーネント１１１０とローカルコンポーネント１１２０の間の通信を促進するように採用され得る通信フレームワーク１１４０を備え、ＬＴＥネットワークなどを介して、エアインターフェース、例えばＵＭＴＳネットワークのＵｕインターフェースを備え得る。リモートコンポーネント１１１０は、通信フレームワーク１１４０のリモートコンポーネント１１１０側の情報を記憶するように採用され得るハードドライブ、固体ドライブ、ＳＩＭカード、デバイスメモリなどの１以上のリモートデータストア１１５０に動作可能に接続され得る。同様に、ローカルコンポーネント１１２０は、通信フレームワーク１１４０のローカルコンポーネント１１２０側の情報を記憶するように採用され得る１以上のローカルデータストア１１３０に動作可能に接続され得る。
【００９６】
開示事項の種々の態様に対する背景を与えるために、図１１及び以下の説明は、開示事項の種々の態様が実施され得る適切な環境の簡単な概略説明を提供することを意図している。１つのコンピュータ及び／又は複数のコンピュータで稼働するコンピュータプログラムのコンピュータ実行可能命令の一般的背景で主題が上述されてきたが、当業者であれば、開示事項は、他のプログラムモジュールとの組合せにおいても実施され得ることを認識するはずである。概略として、プログラムモジュールは、特定のタスクを実行するルーチン、プログラム、コンポーネント、データ構造体などを備え、及び／又は特定の抽象データタイプを実現する。
【００９７】
本明細書において、「ストア」、「ストレージ」、「データストア」、「データストレージ」、「データベース」並びに実質的にコンポーネントの動作及び機能に関連する任意の他の情報記憶コンポーネントなどの用語は、「メモリコンポーネント」、「メモリ」において具現されるエンティティ、又はメモリを備えるコンポーネントについて言及するものである。なお、ここに記載されるメモリコンポーネントは、揮発性メモリ又は不揮発性メモリのいずれかであればよく、又は揮発性メモリ及び不揮発性メモリの両方、例示として、限定ではなく、揮発性メモリ１１２０（下記参照）、不揮発性メモリ１１２２（下記参照）、ディスクストレージ１１２４（下記参照）及びメモリストレージ１１４６（下記参照）を備え得る。さらに、不揮発性メモリは、読出し専用メモリ、プログラマブル読出し専用メモリ、電気的プログラマブル読出し専用メモリ、電気的消去可能読出し専用メモリ又はフラッシュメモリに含まれ得る。揮発性メモリは、外部キャッシュメモリとして作用するランダムアクセスメモリを備え得る。ランダムアクセスメモリは、例示として、限定ではなく、同期ランダムアクセスメモリ、ダイナミックランダムアクセスメモリ、同期ダイナミックランダムアクセスメモリ、ダブルデータレート同期ダイナミックランダムアクセスメモリ、エンハンスト同期ダイナミックランダムアクセスメモリ、Ｓｙｎｃｈｌｉｎｋダイナミックランダムアクセスメモリ及び直接Ｒａｍｂｕｓランダムアクセスメモリなどの多数の形態で利用可能である。さらに、ここでのシステム又は方法の開示のメモリコンポーネントは、これら及び任意の他の適切なタイプのメモリを、それを備えることに限定されずに、備えることを意図している。
【００９８】
さらに、開示事項は、単一のプロセッサ又はマルチプロセッサのコンピュータシステム、ミニコンピューティングデバイス、メインフレームコンピュータ、その他パーソナルコンピュータ、ハンドヘルドコンピューティングデバイス（例えばパーソナルデジタルアシスタント、電話機、時計、タブレットコンピュータ、ノートブックコンピュータ・・・）、マイクロプロセッサに基づく又はプログラマブルな民生用若しくは業務用電子機器などを備える他のコンピュータシステム構成で実施され得ることに留意すべきである。説明した態様はまた、通信ネットワークを介してリンクされたリモート処理デバイスによってタスクが実行される分散コンピューティング環境においても実施可能であるが、本開示の全部でない場合には一部の態様がスタンドアロンコンピュータに対して実施され得る。分散コンピューティング環境では、プログラムモジュールは、ローカル及びリモートメモリ記憶デバイスの双方に配置され得る。
【００９９】
図１２に、一実施形態による開示されたシステム及び方法を実行するように動作可能なコンピューティングシステム１２００のブロック図を示す。コンピュータ１２１２は、例えばＵＥ（例えばＵＥ１０２）、ネットワークノード（例えばネットワークＴＰデバイス１０４）、コアネットワークデバイス（例えばネットワークデバイス１０８など）であり、処理部１２１４、システムメモリ１２１６及びシステムバス１２１８を備える。システムバス１２１８は、システムメモリ１２１６を限定ではなく備えるシステムコンポーネントを処理部１２１４に接続する。処理部１２１４は、任意の種々の利用可能なプロセッサであり得る。デュアルマイクロプロセッサ及び他のマルチプロセッサアーキテクチャも、処理部１２１４として採用され得る。
【０１００】
システムバス１２１８は、メモリバス若しくはメモリコントローラ、周辺バス若しくは外部バス、並びに／又は、限定ではなく、工業標準アーキテクチャ、マイクロ−チャネルアーキテクチャ、拡張工業規格アーキテクチャ、インテリジェントドライブエレクトロニクス、ビデオエレクトロニクス規格協会ローカルバス、周辺機器相互接続、カードバス、ユニバーサルシリアルバス、アドバンストグラフィックポート、パーソナルコンピュータメモリカード国際交流協会バス、Ｆｉｒｅｗｉｒｅ（電気電子技術協会１２１０４）及び小型コンピュータシステムインターフェースを備える利用可能な種々のバスアーキテクチャの種々の任意のものを使用するローカルバスを備える幾つかのタイプのバス構造のいずれかであり得る。
【０１０１】
システムメモリ１２１６は、揮発性メモリ１２２０及び不揮発性メモリ１２２２を備え得る。起動中などにコンピュータ１２１２内の要素間で情報を転送するルーチンを含む基本入力／出力システムは、不揮発性メモリ１２２２に記憶され得る。例示として、限定ではなく、不揮発性メモリ１２２２は、読出し専用メモリ、プログラマブル読出し専用メモリ、電気的プログラマブル読出し専用メモリ、電気的消去可能読出し専用メモリ又はフラッシュメモリを備え得る。揮発性メモリ１２２０は、外部キャッシュメモリとして作用する読出し専用メモリを備える。例示として、限定ではなく、読出し専用メモリは、同期ランダムアクセスメモリ、ダイナミック読出し専用メモリ、同期ダイナミック読出し専用メモリ、ダブルデータレート同期ダイナミック読出し専用メモリ、エンハンスト同期ダイナミック読出し専用メモリ、Ｓｙｎｃｈｌｉｎｋダイナミック読出し専用メモリ、Ｒａｍｂｕｓ直接読出し専用メモリ、直接Ｒａｍｂｕｓダイナミック読出し専用メモリ及びＲａｍｂｕｓダイナミック読出し専用メモリなどの多数の形態で利用可能である。
【０１０２】
コンピュータ１２１２は、取外し可能／取外し不可、揮発性／不揮発性コンピュータ記憶媒体も備え得る。図１２は、例えばディスクストレージ１２２４を示す。ディスクストレージ１２２４は、限定ではなく、磁気ディスクドライブ、フロッピーディスクドライブ、テープドライブ、フラッシュメモリカード又はメモリスティックのようなデバイスを備える。さらに、ディスクストレージ１２２４は、記憶媒体を単独で備えてもよく、コンパクトディスク読出し専用メモリデバイス、コンパクトディスク記録可能ドライブ、コンパクトディスクリライタブルドライブ又はデジタル多用途ディスク読出し専用メモリなどの光学デバイスドライブを限定ではなく備える他の記憶媒体との組合せにおいて備えてもよい。ディスクストレージデバイス１２２４のシステムバス１２１８への接続を容易にするために、インターフェース１２２６などの取外し可能又は取外し不可のインターフェースが通常は使用される。
【０１０３】
コンピューティングデバイスは、通常は様々な媒体を備え、それはコンピュータ可読記憶媒体又は通信媒体を備えることができ、これらの２つの用語は、ここでは以下の相互に異なるものとして用いられる。
【０１０４】
コンピュータ可読記憶媒体は、コンピュータによってアクセス可能な任意の利用可能な記憶媒体であればよく、揮発性及び不揮発性媒体の双方、取外し可能及び取外し不可媒体を備える。例示として、限定ではなく、コンピュータ可読記憶媒体は、コンピュータ可読命令、プログラムモジュール、構造化データ又は非構造化データなどの情報の記憶のための任意の方法又は技術との関係で実施され得る。コンピュータ可読記憶媒体は、以下に限定されないが、読出し専用メモリ、プログラム可能読出し専用メモリ、電気的プログラマブル読出し専用メモリ、電気的消去可能読出し専用メモリ、フラッシュメモリ若しくは他のメモリ技術、コンパクトディスク読出し専用メモリ、デジタル多用途ディスク若しくは他の光ディスクストレージ、磁気カセット、磁気テープ、磁気ディスクストレージ若しくは他の磁気ストレージデバイス、又は所望の情報を記憶するのに使用され得る他の有体の媒体を備え得る。この点に関して、ストレージ、メモリ又はコンピュータ可読媒体に対してここで適用される「有体の」という用語は、修飾子として、伝搬する無形な信号自体のみを除外するものとして理解されるべきであり、伝搬するのみの無形の信号自体ではない全ての標準的なストレージ、メモリ又はコンピュータ可読媒体の範囲を放棄するものではない。一態様においては、有体媒体は、非一時的媒体を備えることができ、ストレージ、メモリ又はコンピュータ可読媒体に対してここで適用され得る「非一時的」という用語は、修飾子として、伝搬している無形な信号自体のみを除外するものとして理解されるべきであり、伝搬している無形の信号自体のみではない全ての標準的なストレージ、メモリ又はコンピュータ可読媒体の範囲を放棄するものではない。コンピュータ可読記憶媒体は、１以上のローカル又はリモートコンピューティングデバイスによって、媒体によって記憶された情報に関する様々な動作について、例えば、アクセス要求、照会又は他のデータ取得プロトコルを介してアクセス可能である。したがって、例えば、コンピュータ可読媒体は、そこに記憶された実行可能な命令を備えることができ、その命令は、実行に応答して、代替のバンドチャネルデータをさらに備えるＲＲＣ接続解除メッセージを生成することを備える動作を、プロセッサを備えるシステムに実行させる。
【０１０５】
通信媒体は、通常は、コンピュータ可読命令、データ構造体、プログラムモジュール又は変調データ信号、例えば、搬送波若しくは他の搬送機構などのデータ信号における他の構造化若しくは非構造化データを具現し、任意の情報配信又は搬送媒体を備える。用語「変調データ信号」又は信号とは、情報を１以上の信号に符号化するような方法で設定又は変更されたその特性の１以上を有する信号のことをいう。例示として、限定ではなく、通信媒体は、有線ネットワーク又は直接配線接続などの有線媒体並びに音響、ＲＦ、赤外線及び他の無線媒体などの無線媒体を備える。
【０１０６】
なお、図１２に、適切な動作環境１２００において説明したユーザとコンピュータリソースと間の仲介として作用するソフトウェアを説明する。そのようなソフトウェアは、オペレーティングシステム１２２８を備える。オペレーティングシステム１２２８は、ディスクストレージ１２２４に記憶可能であり、コンピュータシステム１２１２のリソースを制御して割当てるように作用する。システムアプリケーション１２３０は、プログラムモジュール１２３２を介したオペレーティングシステム１２２８及びシステムメモリ１２１６又はディスクストレージ１２２４のいずれかに記憶されたプログラムデータ１２３４によるリソースの管理を活用する。なお、開示事項は、種々のオペレーティングシステム又はオペレーティングシステムの組合せにおいて実施され得る。
【０１０７】
ユーザは、入力デバイス１２３６を介してコマンド又は情報をコンピュータ１２１２に入力することができる。ある実施形態では、ユーザインターフェースは、ユーザ選好情報などの入力を可能とすることもでき、ユーザがコンピュータ１２１２と対話することを可能とするタッチセンシティブディスプレイパネル、グラフィカルユーザインターフェース（ＧＵＩ）へのマウス／ポインタ入力、コマンドライン制御インターフェースなどにおいて具現化することができる。入力デバイス１２３６は、マウス、トラックボール、スタイラス、タッチパッド、キーボード、マイクロフォン、ジョイスティック、ゲームパッド、衛星放送受信アンテナ、スキャナ、ＴＶチューナカード、デジタルカメラ、デジタルビデオカメラ、ウェブカメラ、携帯電話、スマートフォン、タブレットコンピュータなどのポインティングデバイスを限定ではなく備える。これら及び他の入力デバイスは、インターフェースポート１２３８によってシステムバス１２１８を介して処理部１２１４に接続する。インターフェースポート１２３８は、例えば、シリアルポート、パラレルポート、ゲームポート、ユニバーサルシリアルバス、赤外線ポート、Ｂｌｕｅｔｏｏｔｈポート、ＩＰポート又は無線サービスに関連する論理ポートなどを備える。出力デバイス１２４０は、入力デバイス１２３６と同じタイプのポートの一部を使用する。
【０１０８】
したがって、例えば、ユニバーサルシリアルバスポートは、コンピュータ１２１２に入力を提供するのに使用することができ、情報をコンピュータ１２１２から出力デバイス１２４０に出力するように使用することができる。出力アダプタ１２４２は、特殊なアダプタを使用する他の出力デバイス１２４０のうち、モニタ、スピーカ及びプリンタのような何らかの出力デバイス１２４０が存在することを示すように設けられる。出力アダプタ１２４２は、例示として、限定ではなく、出力デバイス１２４０とシステムバス１２１８の間の接続手段を提供するビデオ及び音声カードを備える。なお、他のデバイス及び／又はデバイスのシステムは、リモートコンピュータ１２４４などの入力及び出力能力の双方を提供する。
【０１０９】
コンピュータ１２１２は、リモートコンピュータ１２４４などの１以上のリモートコンピュータに論理接続を使用するネットワーク化環境において動作し得る。リモートコンピュータ１２４４は、パーソナルコンピュータ、サーバ、ルータ、ネットワークＰＣ、クラウドストレージ、クラウドサービス、クラウド−コンピューティング環境において実行するコード、ワークステーション、マイクロプロセッサベースの機器、ピアデバイス又は他の共通ネットワークノードなどであってもよく、通常は、コンピュータ１２１２に関して説明した要素の多数又は全部を備える。クラウドコンピューティング環境、クラウド又は他の同様の用語は、必要に応じて１以上のコンピュータ及び／又は他のデバイスへの処理リソース及びデータを共有して、容易にプロビジョニング及びリリースされ得る構成可能なコンピューティングリソースの共有プールへのアクセスを可能にするコンピューティングのことをいうものとする。クラウドコンピューティング及びストレージソリューションは、電気エネルギーを利用するための電気事業体、電話サービスを利用するための電話事業体への加入などと同様の方法で、経済規模を活用することができ、クラウドサービスを介してコンピューティングリソースへのアクセスを確認することができる第三者のデータセンタにおけるデータを記憶及び／又は処理し得る。
【０１１０】
簡略化のために、メモリストレージデバイス１２４６のみをリモートコンピュータ１２４４と共に図示する。リモートコンピュータ１２４４は、ネットワークインターフェース１２４８を介してコンピュータ１２１２に論理的に接続され、次いで通信接続１２５０によって物理的に接続される。ネットワークインターフェース１２４８は、ローカルエリアネットワーク及びワイドエリアネットワークなどの有線及び／又は無線通信ネットワークを包含する。ローカルエリアネットワーク技術は、ファイバ分散データインターフェース、銅線分散データインターフェース、イーサネット、トークンリングなどを備える。ワイドエリアネットワーク技術は、限定ではなく、ポイントツーポイントリンク、統合サービスデジタルネットワーク及びそれに対する変形のような回線交換ネットワーク、パケット交換ネットワーク、及びデジタル加入者回線を備える。後述するように、無線技術は、前述のものに付加されて使用されてもよいし、前述のものに代えて使用されてもよい。
【０１１１】
通信接続１２５０は、ネットワークインターフェース１２４８をバス１２１８に接続するように採用されるハードウェア／ソフトウェアのことをいう。通信接続１２５０は、コンピュータ１２１２の内部の説明を明確にするために示されているが、コンピュータ１２１２の外部にあってもよい。ネットワークインターフェース１２４８に接続するハードウェア／ソフトウェアは、例えば、通常の電話グレードのモデム、ケーブルモデム及びデジタル加入者回線モデムを含むモデム、統合サービスデジタルネットワークアダプタ並びにイーサネットカードなどの内部及び外部技術を備え得る。
【０１１２】
要約書に記載されるものを備える本開示の例示の実施形態の上記説明は、網羅的なものではなく、開示される厳密な形態に開示の実施形態を限定するものでもない。具体的実施形態及び例が例示目的でここに記載されるが、当業者が認識し得るように、そのような実施形態及び例の範囲内とみなされる種々の変形例が可能である。
【０１１３】
これに関して、適用可能な場合に開示事項を種々の実施形態及び対応の図面との関係で説明してきたが、他の同様の実施形態が使用可能であり、又は開示事項の同一、類似、代替又は置換の機能を実行するために、そこから逸脱することなく、変形及び付加が記載の実施形態に対してなされ得ることが理解されるべきである。したがって、開示事項はここに記載されるいずれかの単一の実施形態に限定されるべきではなく、以下の添付の特許請求の範囲による幅及び範囲において解釈されるべきである。
【０１１４】
本明細書において採用されるように、用語「プロセッサ」とは、これに限定されることなく、シングルコアプロセッサ、ソフトウェアマルチスレッド実行能力を有する単一のプロセッサ、マルチコアプロセッサ、ソフトウェアマルチスレッド実行能力を有するマルチコアプロセッサ、ハードウェアマルチスレッド技術を有するマルチコアプロセッサ、並列プラットフォーム、及び分散共有メモリを有する並列プラットフォームを備える実質的にあらゆるコンピューティング処理装置又はデバイスをいうものとする。さらに、プロセッサとは、集積回路、特定用途向け集積回路、デジタル信号プロセッサ、フィールドプログラマブルゲートアレイ、プログラマブルロジックコントローラ、複合プログラマブルロジックデバイス、ディスクリートゲート又はトランジスタロジック、ディスクリートハードウェアコンポーネント、又はここに記載される機能を実行するように設計されたその任意の組合せをいうものとする。プロセッサは、空間使用率を最適化し、又はユーザ装置の性能を強化するために、これに限定されることなく、分子及び量子ドットベースのトランジスタ、スイッチ及びゲートのようなナノスケールのアーキテクチャを利用することができる。プロセッサは、コンピューティング処理装置の組合せとして実施されてもよい。
【０１１５】
本願で使用されるように、用語「コンポーネント」、「システム」、「プラットフォーム」、「レイヤ」、「セレクタ」、「インターフェース」などは、１以上の具体的機能を有するコンピュータ関連エンティティ又は演算装置に関連するエンティティのことをいうものであり、エンティティはハードウェア、ハードウェアとソフトウェアの組合せ、ソフトウェア又は実行中のソフトウェアのいずれかであり得る。一例として、コンポーネントは、これに限定されることなく、プロセッサ上で稼働する処理、プロセッサ、オブジェクト、実行可能なもの、実行のスレッド、プログラム及び／又はコンピュータであり得る。例示であって限定ではなく、サーバ上で稼働するアプリケーション及びそのサーバは、コンポーネントであり得る。１以上のコンポーネントは実行の処理及び／又はスレッド内に存在することができ、コンポーネントは１個のコンピュータに局所化され、及び／又は２個以上のコンピュータ間に分散され得る。さらに、これらのコンポーネントは、そこに記憶された種々のデータ構造体を有する種々のコンピュータ可読媒体から実行し得る。コンポーネントは、１以上のデータパケット（例えば、ローカルシステムにおける、分散システムにおける、及び／又は信号を介する他のシステムとのインターネットなどのネットワークにわたる他のコンポーネントと相互作用する１つのコンポーネントからのデータ）を有する信号に応じるようなローカル及び／又はリモートの処理を介して通信し得る。他の例として、コンポーネントは、プロセッサによって実行されるソフトウェア又はファームウェアアプリケーションによって動作する電気又は電子回路によって動作する機械部品によって提供される具体的機能を有する装置であればよく、プロセッサは装置の内部にあっても外部にあってもよく、ソフトウェア又はファームウェアアプリケーションの少なくとも一部を実行する。さらに他の例として、コンポーネントは機械部品なしに電子部品を介して具体的機能を提供する装置であればよく、電子部品は、電子部品の機能を少なくともある程度与えるソフトウェア又はファームウェアを実行するプロセッサをそこに備え得る。
【０１１６】
さらに、用語「又は（若しくは）」は、排他的な「又は（若しくは）」ではなく包含的な「又は（若しくは）」を意味するものである。すなわち、特に断りがなく、又は文脈から明らかでない限り、「ＸがＡ又はＢを採用する」とは、自然な包含的な順列のいずれかを意味するものである。すなわち、ＸがＡを採用する場合、ＸがＢを採用する場合、又はＸがＡ及びＢの双方を採用する場合、上記事例のいずれにおいても「ＸがＡ又はＢを採用する」が充足される。さらに、本明細書及び添付図面において使用される冠詞「ａ」及び「ａｎ」は、特に断りがなく、又は単数形に向けられることが文脈から明らかでない限り、「１以上の」を意味するものと一般に解釈されるべきである。
【０１１７】
また、用語「含む」は、クローズド又は排他的な用語ではなくオープン又は包含的な用語として採用されるものである。用語「含む」は、明示的に他の用法で使用されない限り、用語「備える」と置換可能であり、同様の範囲として扱われるものである。例として、「りんごを含む果物のバスケット」は、「りんごを備える果物のバスケット」と同じ範囲の幅で扱われるものである。
【０１１８】
さらに、「ユーザ装置（ＵＥ）」、「移動局」、「モバイル」、「加入者局」、「加入者装置」、「アクセス端末」、「端末」、「ハンドセット」及び同様の技術のような用語は、データ、制御、音声、映像、サウンド、ゲーム又は実質的にあらゆるデータストリーム若しくはシグナリングストリームを受信又は搬送する無線通信サービスの加入者又はユーザによって利用される無線デバイスをいう。上記用語は、本明細書及び関連する図面において互換可能に使用される。同様に、用語「アクセスポイント」、「基地局」、「ＮｏｄｅＢ」、「エボルブドＮｏｄｅＢ」、「ｅＮｏｄｅＢ」、「ホームＮｏｄｅＢ」、「ホームアクセスポイント」などは、本願においては互換可能に使用され、データ、制御、音声、映像、サウンド、ゲーム又は実質的にあらゆるデータストリーム若しくはシグナリングストリームを、一組の加入者局又はプロバイダによって有効化されるデバイスにサービングし、及びそこから受信する無線ネットワークコンポーネント又は機器をいう。データ及びシグナリングストリームは、パケット化されたフロー又はフレームベースのフローを備え得る。
【０１１９】
さらに、用語「コアネットワーク」、「コア」、「コアキャリアネットワーク」、「キャリア側」又は類似の用語は、集約、認証、呼制御及び交換、課金、サービス発動若しくはゲートウェイの一部又は全部を通常は提供する電気通信ネットワークのコンポーネントをいうものとする。集約は、サービスプロバイダネットワークにおける最上位の集約ということができ、コアノード下の階層の次のレベルは分散ネットワーク及びそしてエッジネットワークである。ＵＥは、通常は大きなサービスプロバイダのコアネットワークに直接接続しないが、スイッチ又は無線アクセスネットワークによってコアにルーティングされ得る。認証は、電気通信ネットワークにサービスを要求するユーザがこのネットワーク内でそのようにすることを許可されているか否かに関する判定ということができる。呼制御及び交換は、呼信号処理に基づいてキャリア装置にわたる呼ストリームの将来の経路に関する決定ということができる。課金は、種々のネットワークノードによって生成される課金データの収集及び処理に関し得る。今日のネットワークにおいて見られる課金メカニズムの２つの共通のタイプは、前払い課金及び後払い課金であり得る。サービス発動は、何らかの明示的アクション（例えば、コールトランスファ）に基づいて、又は暗示的に（例えば、コールウェイテイング）、起こり得る。なお、サービス「実行」は、第三者ネットワーク／ノードが実際のサービス実行に参加し得るので、コアネットワーク機能であってもなくてもよい。ゲートウェイは、他のネットワークにアクセスするコアネットワークに存在し得る。ゲートウェイ機能は、他のネットワークとのインターフェースのタイプに依存し得る。
【０１２０】
またさらに、用語「ユーザ」、「加入者」、「顧客」、「消費者」、「生産消費者」、「エージェント」などは、文脈がこれらの用語間で特定の区別をしない限り、本明細書を通じて互換可能に採用される。そのような用語は人間のエンティティ又はシミュレーションされたビジョン、サウンドの認識などを提供することができる（例えば、複雑な数式に基づいて推定を行う容量を介するような人工知能を介してサポートされる）自動化されたコンポーネントということができることが理解されるべきである。
【０１２１】
主題の態様、構成又は効果は、実質的にあらゆる又は任意の有線、ブロードキャスト、無線電気通信、無線技術若しくはネットワーク又はその組合せにおいて利用され得る。そのような技術又はネットワークの非限定的例は、ブロードキャスト技術（例えば、サブヘルツ、極低周波（ＥＬＦ）、超低周波（ＶＬＦ）、低周波（ＬＦ）、中周波（ＭＦ）、高周波（ＨＦ）、超高周波（ＶＨＦ）、極超高周波（ＵＨＦ）、超高周波（ＳＨＦ）、テラヘルツブロードキャストなど）、イーサネット、Ｘ．２５、電力線タイプネットワーク、例えば電力線オーディオビデオイーサネットなど、フェムトセル技術、Ｗｉ−Ｆｉ、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  ａｃｃｅｓｓ）、ＥｎｈａｎｃｅｄＧＰＲＳ（Ｇｅｎｅｒａｌ  Ｐａｃｋｅｔ  Ｒａｄｉｏ  Ｓｅｒｖｉｃｅ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）、３ＧＰＰ  ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、３ＧＰＰ２、ウルトラモバイルブロードバンド、ＨＳＰＡ（Ｈｉｇｈ  Ｓｐｅｅｄ  Ｐａｃｋｅｔ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＥＤＧＥ（Ｅｎｈａｎｃｅｄ  Ｄａｔａ  Ｒａｔｅｓ  ｆｏｒ  ＧＳＭ  （Ｇｌｏｂａｌ  Ｓｙｓｔｅｍ  ｆｏｒ  Ｍｏｂｉｌｅ  ｃｏｍｍｕｎｉｃａｔｉｏｎ）  Ｅｖｏｌｕｔｉｏｎ）無線アクセスネットワーク、ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）又はＬＴＥ−Ａｄｖａｎｃｅｄを含む。
【０１２２】
用語「推定する」又は「推定」は、一般にシステム、環境、ユーザ並びに／又はイベント及び／若しくはデータを介して捕捉される一組の観測記録から意図される状態について理由付けすること又はその状態を推定することの処理ということができる。捕捉されたデータ及びイベントは、ユーザデータ、デバイスデータ、環境データ、センサからのデータ、センサデータ、アプリケーションデータ、暗示的データ、明示的データなどを含み得る。推定は、例えば、特定のコンテキスト若しくはアクションを識別するのに採用可能であり、又はデータ及びイベントの考察に基づいて対象となる状態にわたる確率分布を生成することができる。推定はまた、一組のイベント及び／又はデータから上位イベントを構成するために採用される技術ということもできる。そのような推定によって、あるインスタンスではイベントが時間的に近接して相関され得るかにかかわらず、並びにイベント及びデータが１又は複数のイベント及びデータソースから来るものであるかにかかわらず、一組の観測されたイベント及び／又は記憶されたイベントデータから新たなイベント又はアクションの構築がもたらされる。種々の分類方式及び／又はシステム（例えば、サポートベクトルマシン、ニューラルネットワーク、エクスパートシステム、ベイジアンネットワーク、ファジーロジック及びデータフージョンエンジン）が、開示事項との関係で自動の及び／又は推定されたアクションを実行することとの関連で採用され得る。
【０１２３】
上述してきたことは、開示事項を説明するシステム及び方法の例を含む。もちろん、ここに構成要素又は方法の全組合せを記載することはできない。当業者であれば、請求項の記載事項の多数の更なる組合せ及び順列が可能であることを認識し得る。またさらに、「含む」、「有する」、「処理する」などの用語が詳細な説明、特許請求の範囲、付録及び図面において使用される程度まで、そのような用語は、特許請求の範囲において移行語句として採用される場合に「備える」が解釈されるように用語「備える」と同様の態様で包含的であるものとする。
【図１】
0006858852.tif 000002
【図２】
0006858852.tif 000003
【図３】
0006858852.tif 000004
【図４】
0006858852.tif 000005
【図５】
0006858852.tif 000006
【図６】
0006858852.tif 000007
【図７】
0006858852.tif 000008
【図８】
0006858852.tif 000009
【図９】
0006858852.tif 000010
【図１０】
0006858852.tif 000011
【図１１】
0006858852.tif 000012
【図１２】
0006858852.tif 000013